(57)【要約】      （修正有）【課題】より迅速に、簡易に装用することができる和装服を提供する。【解決手段】上身頃部１０と、上身頃部の下端部に設けられた帯部と、帯部の下端部に設けられた下身頃部と、上身頃部に設けられた一対の袖部４０と、を備え、上身頃部は上部前身頃部１１と上部後身頃部１２とを有すると共に、下身頃部は下部前身頃部３１と下部後身頃部３２と、を有し、上部前身頃部、上部後身頃部、下部前身頃部及び下部後身頃部は帯部の裏面側において互いに縫合固定されており、下身頃部の下端部から使用者が被る。【選択図】図１
2020059946.tif 000002
【特許請求の範囲】
【請求項１】
上身頃部と、前記上身頃部の下端部に設けられた帯部と、前記帯部の下端部に設けられた下身頃部と、前記上身頃部に設けられた一対の袖部と、を備え、
前記上身頃部は上部前身頃部と上部後身頃部とを有すると共に、前記下身頃部は下部前身頃部と下部後身頃部とを有し、
前記上部前身頃部、前記上部後身頃部、前記下部前身頃部及び前記下部後身頃部は前記帯部の裏面側において互いに縫合固定されており、前記下身頃部の下端部から使用者が被ることを特徴とする和装服。
【請求項２】
前記上部前身頃部は、表側上部前身頃部と、前記表側上部前身頃部の裏側で一部が重ね合わされて配置される裏側上部前身頃部と、を有すると共に、
前記下部前身頃部は、表側下部前身頃部と、前記表側下部前身頃部の裏側で一部が重ね合わされて配置される裏側下部前身頃部と、を備え、
前記表側上部前身頃部及び前記裏側上部前身頃部、並びに、前記表側下部前身頃部及び前記裏側下部前身頃部は、重ね合わされた状態のまま前記帯部の裏面側において縫合固定されていることを特徴とする請求項１記載の和装服。
【請求項３】
前記帯部は、帯状の生地が前記上身頃部の下端部周縁全域に亘って縫合固定されて形成されていることを特徴とする請求項２記載の和装服。
【請求項４】
前記下身頃部は、使用者の胴下半部及び両脚部を正面側から被覆しうる身幅寸法に形成された前記裏側下部前身頃部及び前記裏側下部前身頃部の表面側に重ね合わされて配置される前記表側下部前身頃部、並びに、使用者の胴下半部及び両脚部を背面側から被覆しうる身幅寸法に形成された前記下部後身頃部、により構成され、前記下部後身頃部の両側縁部において前記裏側下部前身頃部の一方の側縁部と前記表側下部前身頃部の一方の側縁部とが上下方向に沿って縫合固定されていることを特徴とする請求項２記載の和装服。
【請求項５】
前記上身頃部の下端部及び前記下身頃部の上端部、の一方側の脇部には、上下方向に沿って前記帯部を跨るように配設されたスリット部が設けられていることを特徴とする請求項１又は請求項２のいずれか１項に記載の和装服。
【請求項６】
前記スリット部にはファスナ部が設けられ開閉可能に形成されていることを特徴とする請求項５記載の和装服。
【請求項７】
前記ファスナ部は、前記スリット部の全長に跨るスライド式ファスナ部を備えることを特徴とする請求項６記載の和装服。
【請求項８】
前記袖部は、袂部が設けられているとともに、前記上身頃部の左右方向両端部において、前記前身頃部及び前記後身頃部に夫々縫合固定されており、
前記袂部の脇対向部位には上下方向に沿ってファスナ部により開閉可能に形成された開口部を有する収納部が設けられていることを特徴とする請求項１記載の和装服。
【請求項９】
前記上身頃部の前記帯部よりも上方又は下方の何れか一方には、上下方向に沿ってタック部が設けられていることを特徴とする請求項２記載の和装服。
【請求項１０】
前記帯部の下端部には、前記下身頃部の上端部の表面側に配置される御端折り部が設けられていることを特徴とする請求項２記載の和装服。
【請求項１１】
前記ファスナ部は、前記スリット部のうち前記帯部に対応した部位を開閉する雌雄の異なる一対の面ファスナ部と、前記スリット部のうち前記下身頃部の上端部に対応した部位を開閉するスライドファスナ部と、を備えることを特徴とする請求項６記載の和装服。
【請求項１２】
前記帯部は、
前記表側上部前身頃部及び前記裏側上部前身頃部、並びに、前記表側下部前身頃部及び前記裏側下部前身頃部が、裏面側において重ね合わされた状態のまま縫合固定されている固定側帯部と、
前記固定側帯部の表面と重なるように、前記スリット部の近傍で一端が前記固定側帯部に支持された背面帯部、及び、使用者の背面側から胴回り方向を周回して前記スリット部を覆ったうえで前記背面帯部の前記一端の表面と係合する係合部を他端の裏面側に備えた正面帯部、を一体に備える自由端側帯部と、
を備えることを特徴とする請求項１１記載の和装服。
【請求項１３】
前記帯部には、使用者の背面側において帯結び部が縫合固定されていることを特徴とする請求項３及び請求項１２記載の和装服。
【請求項１４】
使用者の身長及び胸囲の数値に基づき複数のサイズを有することを特徴とする請求項１記載の和装服。
【請求項１５】
前記背面帯部の前記一端は、前記スリット部の近傍で前記固定側帯部に縫合支持、若しくは、前記スリット部の近傍の前記固定側帯部の表面に設けた支持側係合部に被支持側係合部が係合支持、されることを特徴とする請求項１２及び請求項１３記載の和装服。
【請求項１６】
前記帯部は、前記自由端側帯部の帯幅が前記固定側帯部の帯幅よりも広いことを特徴とする請求項１５記載の和装服。
【発明の詳細な説明】
【技術分野】
【０００１】
本発明は、和装服に係り、特に、着物と同様の外観を有し、容易かつ迅速に着脱することができる和装服に関する。
【背景技術】
【０００２】
着物は男女を問わず広く日本人に愛されているが、特に、女性用の着物は、着付ける際に、多くの作業、作法が必要となり非常に煩雑であった。
【０００３】
即ち、着物を着付ける場合には、先ず、着物本体を決められた手順に従って着込み、上前身頃部及び下前身頃部を重ね合わせた状態で衿を適切に整えると共に御端折りを整え、胸紐で押さえた後、さらに伊達締めを装着する。この場合、衿元の押さえ方、胸紐の取り方、御端折りの形成の仕方が非常に煩雑であり、一人で着付けるためには多くの訓練を要していた。
【０００４】
その後、着物の上から帯を結ぶ必要があるが、このような帯結びを行う場合には、帯本体、腰板、帯枕、帯揚げ、帯押さえ紐等を必要に応じてあらかじめ準備し、先ず、帯本体を前柄の位置を確認しつつ締めていくが、背面側で結び目を形成し、背面側で鏡を見ながら所定の帯結びを形成しなければならず、指導者について所定の訓練を要するものであり非常に煩雑であった。
【０００５】
従って、帯結びを含む着物本体を着付けるためには、全体として６０以上に及ぶ作業工程を経なければならず、当然のことながら、着付け手順、着付け技術を知らない一般人では一人で着付けを行うことが不可能であった。
【０００６】
着物は日本文化の華であり、いつの時代も日本女性のあこがれの的であったが、上記のような着付けの難しさ、煩雑さや、現代生活形態の複雑さ、忙しさから、戦前ほど、日常生活の中で、女性が着物を着付けることが少なくなっている。
【０００７】
近年においては、成人女性の場合、成人式や大学等の卒業式を過ぎると、浴衣を除き、主に冠婚葬祭の折のみに、着付ける場合が多い。このため、着物を着付ける場合には、レンタルして着付け技能を有する専門家に着付けてもらうか、又は、時間に余裕がある場合には、着物の着付けを指導する学校にて講習を受け、自分で練習を行った後に、試行錯誤のうえ、自分の体形にあった着付けを行う技術を習得しなければ独力で着物を着衣することは不可能である。
【０００８】
しかしながら、着物をレンタルする場合であっても、非常に高額な賃料を支払わねばならず、また、着付けを指導する学校へ入学することも、多忙な現代人にとっては、時間的にも費用的にも極めて煩雑であり、着物文化が日常生活から遠ざけられる一因となっていた。
【０００９】
また、戦前より、着物は海外において「ＫＩＭＯＮＯ」として、日本の伝統文化として広く認識されており、外国人にあっても、日本において着物を着衣したい、という要望がある。
【００１０】
特に、近年、日本への海外の旅行者が増え、欧米人のみならず、中国、韓国等の多くのアジア人にあっても、日本において着物を着た状態で日本の町を散策したい、という要望があり、観光地には、多くの「ＫＩＭＯＮＯレンタルショップ」等も存在し、多くの外国人により利用されている。
【００１１】
従って、現在、多くの日本人のみならず、外国人からも、「着物を簡単に着て楽しみたい」という切なる要望がある。
【００１２】
このように、従来より、「着物を簡単に着たい」という要望は多くの女性、人々の切なる要望であった。
【００１３】
このような従来の事情から、着物を容易に着たい、という多くの人々の要請に応えるべく、特許出願による様々な提案がされていた。
【００１４】
特許文献１（特許第３９０２６１５号公報）には、「対丈に形成された長着であって、前身頃部の胴部両脇、脇線から０．５〜１．５ｃｍの位置に、脇線に対して実質的に平行となる７〜１４ｃｍ長のタック部が設けられており、後身頃部の胴部両脇、脇線から１．５〜３．５ｃｍの位置に脇線に対して実質的に平行となる７〜１４ｃｍ長のタック部が設けられていること、下前身頃部の胴部表面と上前身頃部の胴部裏面に、一対のベルベット式ファスナ部が取付けられており、該ベルベット式ファスナ部の係止により、前記長着が身体に適合して着衣できるものであること、および、前記長着の肩山が、衿付け位置から４〜９ｃｍ位置まで裾に実質的に平行であり、その後肩先までダーツが設けられ、肩先部で、衿付け位置より０．８〜２ｃｍ下がった状態となっていることを特徴とする簡易長着。」が開示されている。
【００１５】
しかしながら、特許文献１に開示された簡易長着にあっては、一般の着物と同様の形態に形成され、上前身頃部胴部表面及び下前身頃部胴部裏面に設けられた一対のベルベット式ファスナ部（以下、「面ファスナ部」とも称する）を係止することにより、上前身頃部と下前身頃部を重ね合わせた状態で固定して着衣するように構成されているものであり、胴部における一対の面ファスナ部のみにより前身頃部を固定することから、着衣した状態で着座する場合や、歩行する場合に、前身頃部の重ね合わせがずれ、着崩れする可能性がある、という不具合がある。
【００１６】
また、上前身頃部胴部表面に設けられた一対の両面ファスナ部が外部から視認されるために、着付け品質を確保するとためには、この一対の両面ファスナ部を隠すために、所定の幅寸法を有する帯を装着せざるを得ず、適切に帯を装着するためには、上記のように時間を要し、外観品質を確保した状態で着衣しようとした場合には、全体として着付け作業がなお煩雑である、という不具合がある。
【００１７】
また、特許文献２（特許第５７７１００３号公報）には、「使用者の別にバスト、アンダーバスト、ウエストおよびヒップを含む身体各部から採寸された各曲線情報に基づく曲線を付与して各別に裁断された上身頃部体と下身頃部体とを、御端折りを介在させることなくウエストラインの位置にて立体的に縫い合わせて一体化される対丈着物であって、着衣時の下前表にあって右側縫い線から下前の横幅方向やや中央寄りに入り込んだ位置にある前記ウエストラインの上側にその一端部が固着された第１結び紐と、着衣時の上前裏にあって衽の身幅分だけ上前の横幅方向やや中央寄りに入り込んだ位置にある前記ウエストラインの下側にその一端部が固着された第２結び紐と、着衣時の下前裏にあって右側開放端から下前の横幅方向やや中央寄りに入り込んだ位置にある前記ウエストラインの下側にその一端部が固着された第３結び紐と、着衣時の上前裏にあって左側縫い線から後身頃部の横幅方向やや中央寄りに入り込んだ位置にある前記ウエストラインの上側にその一端部が固着された第４結び紐と、着衣時の下前裏にあって前記右側開放端から下前の横幅方向やや中央寄りに入り込み、かつ、前記下身頃部体の縦長さ方向での中間位置から１２ｃｍ前後上方に位置する部位にその一端部が固着された第５結び紐と、着衣時の上前裏にあって前記左側縫い線に沿った上前側における前記下身頃部体の縦長さ方向での中間位置から１７ｃｍ前後上方に位置する部位にその一端部が固着された第６結び紐とを備え、その着衣時には、前記第３結び紐と前記第４結び紐とを結んで下前を若干せり上がらせ、使用者の膝上位置にて前記第５結び紐と前記第６結び紐とを結んで下前左裾をさらに若干せり上がらせるとともに、前記第１結び紐と前記第２結び紐とを結んで上前右裾を若干せり上がらせるようにして裾周りの仕舞いを整え可能としたことを特徴とする対丈着物。」が開示されている。
【００１８】
しかしながら、上前身頃部及び下前身頃部の裏面側に全体として６本の結び紐を設け、着衣時にはこれら６本の結び紐を互い結束して上前身頃部と下前身頃部の重ね合わせ固定を行うように構成されており、着衣時に結束作業が煩雑であると共に、このような構成の着物を製作する場合には、使用者の体形に応じて６本結び紐の取り付け位置を個別に確定する必要があり、製作作業が煩雑である、という不具合があった。
【００１９】
さらに、特許文献３（特開２０１５−２１８３９６号公報）にあっては、「着物本体と帯からなり、着物本体は、後身頃部に縦方向にスリット状の開口部を設け、衿は該開口部で左右に分かれ、前身頃部の胸位置を重ね留めし、脇にゴムの縫い留め部分を設け、該胸位置に帯を固定する付着部を設けたことを特徴とする着物。」が開示されている。
【００２０】
しかしながら、このような着物にあっては、後身頃部の中央に上下方向に沿って形成された開口部を利用して着衣するが、着衣後に開口部はファスナ部を利用して閉じる必要があり、使用者は背面側のファスナ部を把持することはできないため、使用者以外の他者にファスナ部を引き上げて開口部を閉じてもらう必要があり、一人のみで着衣することは不可能であった。また、別個に帯を装着する必要があることから着物として着衣状態に至るためには煩雑であり、簡易に着衣したい、という要望を充たせるものではなかった。
【先行技術文献】
【特許文献】
【００２１】
【特許文献１】特許第３９０２６１５号公報
【特許文献２】特許第５７７１００３号公報
【特許文献３】特開２０１５−２１８３９６号公報
【発明の概要】
【発明が解決しようとする課題】
【００２２】
そこで、本発明の課題は、より迅速に、簡易に装用することができる和装服を提供することにある。
【課題を解決するための手段】
【００２３】
このような課題達成のため、請求項１記載の発明においては、上身頃部と、前記上身頃部の下端部に設けられた帯部と、前記帯部の下端部に設けられた下身頃部と、前記上身頃部に設けられた一対の袖部と、を備え、前記上身頃部は上部前身頃部と上部後身頃部とを有すると共に、前記下身頃部は下部前身頃部と下部後身頃部とを有し、前記上部前身頃部、前記上部後身頃部、前記下部前身頃部及び前記下部後身頃部は前記帯部の裏面側において互いに縫合固定されており、前記下身頃部の下端部から使用者が被ることを特徴とする。
【００２４】
従って、請求項１記載の和装服にあっては、前記上部前身頃部、前記上部後身頃部、前記下部前身頃部及び前記下部後身頃部は前記帯部の裏面側において互いに縫合固定されており、従来の伝統的な着物及び従来提案されていた改良された着物とは異なり、着衣時に上下の前身頃部を身体の前で合わせる必要がなく、また、合わせた前身頃部の上から帯を装着する必要がない。
【００２５】
請求項２記載の発明にあっては、前記上部前身頃部は、表側上部前身頃部と、前記表側上部前身頃部の裏側で一部が重ね合わされて配置される裏側上部前身頃部と、を有すると共に、前記下部前身頃部は、表側下部前身頃部と、前記表側下部前身頃部の裏側で一部が重ね合わされて配置される裏側下部前身頃部と、を備え、前記表側上部前身頃部及び前記裏側上部前身頃部、並びに、前記表側下部前身頃部及び前記裏側下部前身頃部は、重ね合わされた状態のまま前記帯部の裏面側において縫合固定されていることを特徴とする。
【００２６】
請求項３記載の発明にあっては、前記帯部は、帯状の生地が前記上身頃部の下端部周縁全域に亘って縫合固定されて形成されていることを特徴とする。
【００２７】
請求項４記載の発明にあっては、前記下身頃部は、使用者の胴下半部及び両脚部を正面側から被覆しうる身幅寸法に形成された前記裏側下部前身頃部及び前記裏側下部前身頃部の表面側に重ね合わされて配置される前記表側下部前身頃部、並びに、使用者の胴下半部及び両脚部を背面側から被覆しうる身幅寸法に形成された前記下部後身頃部、により構成され、前記下部後身頃部の両側縁部において前記裏側下部前身頃部の一方の側縁部と前記表側下部前身頃部の一方の側縁部とが上下方向に沿って縫合固定されていることを特徴とする。
【００２８】
従って、請求項４記載の発明にあっては、２枚の下前身頃部が使用者の腰部及び脚部を覆うものである。
【００２９】
請求項５記載の発明にあっては、前記上身頃部の下端部及び前記下身頃部の上端部、の一方側の脇部には、上下方向に沿って前記帯部を跨るように配設されたスリット部が設けられていることを特徴とする。
【００３０】
請求項６記載の発明にあっては、前記スリット部にはファスナ部が設けられ開閉可能に形成されていることを特徴とする。
【００３１】
請求項７記載の発明にあっては、前記ファスナ部は、前記スリット部の全長に跨るスライド式ファスナ部を備えることを特徴とする。
【００３２】
請求項８記載の発明にあっては、前記袖部は、袂部が設けられているとともに、前記上身頃部の左右方向両端部において、前記前身頃部及び前記後身頃部に夫々縫合固定されており、前記袂部の脇対向部位には上下方向に沿ってファスナ部により開閉可能に形成された開口部を有する収納部が設けられていることを特徴とする。
【００３３】
請求項９記載の発明にあっては、前記上身頃部の前記帯部よりも上方又は下方の何れか一方には、上下方向に沿ってタック部が設けられていることを特徴とする。
【００３４】
請求項１０記載の発明にあっては、前記帯部の下端部には、前記下身頃部の上端部の表面側に配置される御端折り部が設けられていることを特徴とする。
【００３５】
請求項１１記載の発明にあっては、前記ファスナ部は、前記スリット部のうち前記帯部に対応した部位を開閉する雌雄の異なる一対の面ファスナ部と、前記スリット部のうち前記下身頃部の上端部に対応した部位を開閉するスライドファスナ部と、を備えることを特徴とする。
【００３６】
請求項１２記載の発明にあっては、前記帯部は、前記表側上部前身頃部及び前記裏側上部前身頃部、並びに、前記表側下部前身頃部及び前記裏側下部前身頃部が、裏面側において重ね合わされた状態のまま縫合固定されている固定側帯部と、前記固定側帯部の表面と重なるように、前記スリット部の近傍で一端が前記固定側帯部に支持された背面帯部、及び、使用者の背面側から胴回り方向を周回して前記スリット部を覆ったうえで前記背面帯部の前記一端の表面と係合する係合部を他端の裏面側に備えた正面帯部、を一体に備える自由端側帯部と、を備えることを特徴とする。
【００３７】
請求項１３記載の発明にあっては、前記帯部には、使用者の背面側において帯結び部が縫合固定されていることを特徴とする。
【００３８】
請求項１４記載の使用者の身長及び胸囲の数値に基づき複数のサイズを有することを特徴とする。
【００３９】
請求項１５記載の発明にあっては、前記背面帯部の前記一端は、前記スリット部の近傍で前記固定側帯部に縫合支持、若しくは、前記スリット部の近傍の前記固定側帯部の表面に設けた支持側係合部に被支持側係合部が係合支持、されることを特徴とする。
【００４０】
請求項１６記載の発明にあっては、前記帯部は、前記自由端側帯部の帯幅が前記固定側帯部の帯幅よりも広いことを特徴とする。
【発明の効果】
【００４１】
請求項１記載の発明にあっては、上身頃部と、前記上身頃部の下端部に設けられた帯部と、前記帯部の下端部に設けられた下身頃部と、前記上身頃部に設けられた一対の袖部と、を備え、前記上身頃部は上部前身頃部と上部後身頃部とを有すると共に、前記下身頃部は下部前身頃部と下部後身頃部とを有し、前記上部前身頃部、前記上部後身頃部、前記下部前身頃部及び前記下部後身頃部は前記帯部の裏面側において互いに縫合固定されており、前記下身頃部の下端部から使用者が被ることから、従来の伝統的な着物、及び従来提案されていた改良された着物とは異なり、着衣時に上下の前身頃部を身体の前で合わせる必要がなく、また、合わせた前身頃部の上から帯を装着する必要がない。したがって、従来の伝統的な着物の着付けのように、煩雑な着衣作業並びに帯の装着作業を行う必要がなく、下身頃部の下端部から使用者が被るだけの着衣作業で事足りるため、伝統的な着物における、全体として約６０工程に及ぶ着付け作業をほぼ１工程に簡略化することができるため、迅速かつ簡易に着付けることができる。
【００４２】
請求項２記載の発明にあっては、前記上部前身頃部は、表側上部前身頃部と、前記表側上部前身頃部の裏側で一部が重ね合わされて配置される裏側上部前身頃部と、を有すると共に、前記下部前身頃部は、表側下部前身頃部と、前記表側下部前身頃部の裏側で一部が重ね合わされて配置される裏側下部前身頃部と、を備え、前記表側上部前身頃部及び前記裏側上部前身頃部、並びに、前記表側下部前身頃部及び前記裏側下部前身頃部は、重ね合わされた状態のまま前記帯部の裏面側において縫合固定されていることから、和装服を構成するパーツを容易に縫合して仕立てることができ、迅速かつ簡易に着衣できると共に、容易に作成することが可能な和装服を提供することができる。
【００４３】
請求項３記載の発明にあっては、前記帯部は、帯状の生地が前記上身頃部の下端部周縁全域に亘って縫合固定されて形成されていることから、従来のように、使用者は、別途に帯用布材を着物本体の上から身体に巻き付けて帯を形成する作業を行う必要がなく、使用者は和装服を着衣するのみで別途に帯を形成する必要がなく、迅速、簡易に着衣できる。
【００４４】
また、帯状の生地を上身頃部及び下身頃部に縫合固定するのみで帯相当部分を形成することができ、製作作業も容易である。
【００４５】
請求項４記載の発明にあっては、前記下身頃部は、使用者の胴下半部及び両脚部を正面側から被覆しうる身幅寸法に形成された前記裏側下部前身頃部及び前記裏側下部前身頃部の表面側に重ね合わされて配置される前記表側下部前身頃部、並びに、使用者の胴下半部及び両脚部を背面側から被覆しうる身幅寸法に形成された前記下部後身頃部、により構成され、前記下部後身頃部の両側縁部において前記裏側下部前身頃部の一方の側縁部と前記表側下部前身頃部の一方の側縁部とが上下方向に沿って縫合固定されていることから、下身頃部は、着物のような重ね合わせの前開きを可能としたまま洋服のスカートのように構成されており、作成が容易な和装服を提供することができる。
【００４６】
請求項５記載の発明にあっては、前記上身頃部の下端部及び前記下身頃部の上端部、の一方側の脇部には、上下方向に沿って前記帯部を跨るように配設されたスリット部が設けられており、請求項６記載の発明にあっては、前記スリット部にはファスナ部が設けられ開閉可能に形成されていることから、和装服の着衣時にはファスナ部を下げてスリット部を開放しておき、上身頃部及び下身頃部の生地の張りに余裕がある状態で、下身頃部の下端部側から被るように身体を通し、着衣後にはファスナ部を閉止して上身頃部及び下身頃部を本来の形に形成して着付けを完了する。また、和装服の脱衣時には、ファスナ部を下げて上身頃部及び下身頃部の生地に余裕を持たせた状態で脱ぐことができる。したがって、請求項１記載の発明の効果に加えて、より容易かつ迅速な着衣並びに脱衣作業が可能となる。
【００４７】
請求項７記載の発明にあっては、前記ファスナ部は、前記スリット部の全長に跨るスライド式ファスナ部を備えることから、使用者は一連の操作でスリット部を開閉することができる。
【００４８】
請求項８記載の発明にあっては、前記袖部は、袂部が設けられているとともに、前記上身頃部の左右方向両端部において、前記前身頃部及び前記後身頃部に夫々縫合固定されており、前記袂部の脇対向部位には上下方向に沿ってファスナ部により開閉可能に形成された開口部を有する収納部が設けられていることから、使用者は着衣時には、収納部に身の回りの携帯用小物を適宜収納して、ファスナ部によりスリット部を閉止して、収納物の落下を防止した状態で持ち歩くことができる。
【００４９】
従って、伝統的な着物や、改良された従来の着物とは異なり、身の回りの小物の収納性、携帯性に富んだ和装服を提供することができる。
【００５０】
請求項９記載の発明にあっては、前記上身頃部の前記帯部よりも上方又は下方の何れか一方には、上下方向に沿ってタック部が設けられていることから、洋服の場合と同様に、立体的なシルエットを形成することができ、ゆとりのある着心地を提供できると共に、使用者の身体が各種の立ち居振る舞い、日常の運動作業を行う場合にも、生地が張ってしまい身体の動きが規制されることがなく、余裕をもって作業することができる和装服を提供することができる。
【００５１】
請求項１０記載の発明にあっては、前記帯部の下端部には、前記下身頃部の上端部の表面側に配置される御端折り部が設けられていることから、従来の伝統的な着物と同様の外観品質を提供することができ、使用者は違和感なく着衣することができる。
【００５２】
請求項１１記載の発明にあっては、前記ファスナ部は、前記スリット部のうち前記帯部に対応した部位を開閉する雌雄の異なる一対の面ファスナ部と、前記スリット部のうち前記下身頃部の上端部に対応した部位を開閉するスライドファスナ部と、を備えることから、帯部に対応する使用者の胴回りは、面ファスナ部の胴回り方向に沿う係合位置を調整することにより締め付け力を調整することができる。
【００５３】
請求項１２記載の発明にあっては、前記帯部は、前記表側上部前身頃部及び前記裏側上部前身頃部、並びに、前記表側下部前身頃部及び前記裏側下部前身頃部が、裏面側において重ね合わされた状態のまま縫合固定されている固定側帯部と、前記固定側帯部の表面と重なるように、前記スリット部の近傍で一端が前記固定側帯部に支持された背面帯部、及び、使用者の背面側から胴回り方向を周回して前記スリット部を覆ったうえで前記背面帯部の前記一端の表面と係合する係合部を他端の裏面側に備えた正面帯部、を一体に備える自由端側帯部と、を備えることから、帯部に見かけ上の立体感を具備させることができるとともに、固定側帯部の縫い目を覆い隠すことができ、より一層着物を着付けたような風合いを確保することができる。
【００５４】
請求項１３記載の発明にあっては、前記帯部には、使用者の背面側において帯結び部が縫合固定されていることから、従来の伝統的な着物や、従来の改良された着物とは異なり、別途に帯を装着する必要がない。また、その帯の装着にあたって、面倒な帯結び部を形成する必要がないことから、従来、非常に煩雑であった帯結び部の形成作業が不要となるため、迅速かつ容易な装用が可能となる和装服を提供することができる。
【００５５】
請求項１４記載の発明にあっては、使用者の身長及び胸囲の数値に基づき複数のサイズを有することから、洋服と同様の概念で、使用者の体形、身体の大きさに合わせて複数種類のサイズの和装服を準備しておくことにより、使用者に最適な大きさの和装服を迅速かつ容易に着衣してもらうことが可能となる。
【００５６】
請求項１５記載の発明にあっては、前記背面帯部の前記一端は、前記スリット部の近傍で前記固定側帯部に縫合支持、若しくは、前記スリット部の近傍の前記固定側帯部の表面に設けた支持側係合部に被支持側係合部が係合支持、されることにより、用途に応じて自由端側帯部を縫合又は係合により支持することができる。
【００５７】
請求項１６記載の発明にあっては、前記帯部は、前記自由端側帯部の帯幅が前記固定側帯部の帯幅よりも広いことにより、使用者の座高の高低に応じて帯による締め付け位置を調整することができる。
【図面の簡単な説明】
【００５８】
【図１】本発明に係る和装服の一実施の形態を示し、（Ａ）は和装服の正面図、（Ｂ）は和装服の背面図である。
【図２】本発明に係る和装服の一実施の形態を示し、各パーツを布単位で分離した展開図である。
【図３】本発明に係る和装服の一実施の形態におけるファスナ部の周辺構造を示す説明図である。
【図４】本発明に係る和装服の一実施の形態における帯部を含むスリット部を開閉するファスナ部の周辺構造を示し、（Ａ）はファスナ開放状態の説明図、（Ｂ）はファスナ封止状態の説明図である。
【図５】本発明に係る和装服の一実施の形態における袖部のファスナ部の周辺構造を示し、（Ａ）はファスナ開放状態の説明図、（Ｂ）はファスナ封止状態の説明図である。説明図である。
【図６】本発明に係る和装服の一実施の形態を示し、日米で異なるサイズの一覧の図表である。
【図７】本発明に係る和装服の他の一実施の形態を示し、（Ａ）は和装服の正面図、（Ｂ）は和装服の背面図である。
【図８】本発明に係る和装服の他の一実施の形態を示し、各パーツを布単位で分離した展開図である。
【図９】本発明に係る和装服の他の一実施の形態におけるファスナ部の周辺構造を示す説明図である。
【図１０】本本発明に係る和装服の他の一実施の形態における帯部を含むスリット部を開閉するファスナ部の周辺構造を示し、（Ａ）はファスナ開放状態の説明図、（Ｂ）はファスナ封止状態の説明図である。
【図１１】本発明に係る和装服の他の一実施の形態の変形例を示し、各パーツを布単位で分離した展開図である。
【図１２】本発明に係る和装服の他の一実施の形態の変形例を示し、（Ａ）は固定側帯部を下方寄りとした場合、（Ｂ）は固定側帯部を上方寄りとした場合、の説明図である。
【発明を実施するための形態】
【００５９】
次に、本発明に係る一実施の形態について図面を参照して説明する。なお、以下の説明においては、説明の便宜上、着物の各部位等の正式名称或いは一般名称とは別の名称等で呼称する場合がある。また、使用される生地の種類（例えば、縮緬）や色・柄等は任意である。
【００６０】
（実施の形態１）
図１に示すように、実施の形態１に係る和装服１は、上身頃部１０と、上身頃部１０の下端部に設けられた帯部２０と、帯部２０の下端部に設けられた下身頃部３０と、上身頃部１０の外側部に設けられた一対の袖部４０と、を備える。
【００６１】
上身頃部１０は、上部前身頃部１１と上部後身頃部１２とを有する。上身頃部１０は、図２に示すように、使用者の左右で回転対称の生地１３，１４を用い、この生地１３，１４のうち、折れ線Ｐ１を境界として図示上側の上部後身頃部１２に対応する部位１３ａ，１４ａの人体中心側縁部１３ｂ，１４ｂを縫合固定することによって構成される。したがって、上身頃部１０は、生地１３，１４を折れ線Ｐ１で折り返すことにより使用者の正面側と背面側とに分かれ、上部前身頃部１１と上部後身頃部１２となる。なお、図１（Ｂ）における符号Ｎ１はその縫合筋である。これにより、生地１３，１４のうち、折れ線Ｐ１を境界として図示下側の上部前身頃部１１に対応する部位１３ｃ，１４ｃは、使用者の右手側に配置される表側上部前身頃部１５と、表側上部前身頃部１５の裏側で一部が重ね合わされた状態で使用者の左手側に配置される裏側上部前身頃部１６となる。さらに、生地１３，１４の上部後身頃部１２に対応する部位１３ａ，１４ａの上縁部１３ｄ，１４ｄから生地１３，１４の上部前身頃部１１に対応する部位１３ｃ，１４ｃの傾斜縁部１３ｅ，１４ｅにかけて連続する縁部分には、図１に示すように、衿部１７が設けられている。
【００６２】
衿部１７は、図２に示すように、略長方形（両端部の形状は任意）の帯状の生地１８を長手方向に沿う折れ線Ｐ２で半折りしたものを上縁部１３ｄ，１４ｄから傾斜縁部１３ｅ，１４ｅに沿って縫合固定したものである。したがって、折れ線Ｐ１は、衿部１７の衿幅と奥襟を考慮した分だけ上縁部１３ｄ，１４ｄから部位１３ｃ，１４ｃに寄った位置となる。なお、折れ線Ｐ３は上縁部１３ｄ，１４ｄから傾斜縁部１３ｅ，１４ｅに至る屈曲部分である。さらに、衿部１７の内側には、図１に示すように、生地１８とは異なる色や種類の飾り衿部１７Ａが設けられている。
【００６３】
なお、図２の展開状態は、図１（Ａ）に示す使用者の正面側を基準として示し、使用者の左手側及び右手側と左右方向（図２の紙面では逆方向）とが一致している。また、図２に示した各生地１３，１４，１８は、図１（Ａ）に示した状態を単純に展開して示しており、具体的な形状や大きさ（比率を含む）を限定的に示すものではなく、例えば、必要に応じて縫い代等が設けられる。
【００６４】
図１に示すように、衿部１７を含む上部前身頃部１１及び上部後身頃部１２は、一部が前後で重ね合わされた状態のまま帯部２０の裏面側において、縫合固定されている。
【００６５】
なお、上身頃部１０は、例えば、表側上部前身頃部１５及び裏側上部前身頃部１６の適宜位置に一つ以上のタック部１９が設けられている。タック部１９は、帯部２０の上方において正面側の左右に対で設けられており、その下端は帯部２０の上縁部分で収束している。
【００６６】
このように、上身頃部１０の帯部２０よりも上方には、上下方向に沿ってタック部１９が設けられていることから、洋服の場合と同様に、使用者のウエスト部分からバスト部分へと向かう周り方向の拡径に伴う立体的なシルエットを形成することができ、ゆとりのある着心地を提供できると共に、使用者の身体が各種の立ち居振る舞い、日常の運動作業を行う場合にも、生地が張ってしまい身体の動きが規制されることがなく、余裕をもって動作をすることができる和装服１を提供することができる。
【００６７】
帯部２０は、図３に示すように、使用者の正面側を被覆しうる長さ寸法に形成された前帯部２１と、使用者の背面側を被覆しうる長さ寸法に形成された後帯部２２と、前帯部２１及び後帯部２２の各裏面側に位置する前側裏地部２３及び後側裏地部２４と、で使用者の左手側の背面から右手側の脇腹を経由して再び左手側の正面に回り込むように構成されている。また、後帯部２２には、所定の帯結びとされた（図示例は半巾帯で文庫結び）帯結び部２５が縫合固定されている。なお、前帯部２１及び後帯部２２、並びに、前側裏地部２３及び後側裏地部２４は、それぞれ使用者の正面側と背面側とで分割されていてもよい。なお、この帯に関する「長さ」は、一般的な帯における呼称として用いられる帯幅の方向に直交する方向の「長さ」である。
【００６８】
なお、前帯部２１と後帯部２２とは、一般的な絹製の帯と同様に生地が伸縮性を備えていないことから、使用者の胴部を基準とする胴巻きの機能を備えている。したがって、前帯部２１と後帯部２２、及び、前側裏地部２３と後側裏地部２４とは、例えば、使用者の前後で分割せずに、例えば、使用者の右手側を一体とした１枚物として構成してもよい。
【００６９】
帯部２０は、前帯部２１及び後帯部２２の上端部２１ａ，２２ａが、上部後身頃部１２の下端部１２ａ、表側上部前身頃部１５の下端部１５ａ及び裏側上部前身頃部１６の下端部１６ａと、前側裏地部２３及び後側裏地部２４と共に縫製Ｓ１，Ｓ２によって縫合固定されている。
【００７０】
前側裏地部２３及び後側裏地部２４は、図２に示すように、和装服１と同一、すなわち上述した上身頃部１０と同一でありかつ前側裏地部２３と後側裏地部２４とが連続する１枚の生地２８を用い、その長さ方向の中央部分の折れ線Ｐ４が使用者の右脇腹に位置する前後の境界として前帯部２１及び後帯部２２と略同一の大きさと形状からなっている。
【００７１】
帯結び部２５は、後帯部２２の上縁に沿って縫製Ｓ３により縫合固定されている。また、帯結び部２５には、市販の帯締め２６の中央が固定されており、前面結部２７で予め結ばれている。
【００７２】
したがって、帯部２０には、使用者の背面側である後帯部２２において帯結び部２５が縫合固定されていることから、従来の伝統的な着物や、従来の改良された着物とは異なり、別途に帯を装着する必要はなく、また、その伝統的な着物用の帯の装着に当たって、面倒な帯結びを形成する必要がないことから、従来、非常に煩雑であった帯結びの形成作業が不要となるため、迅速かつ容易な装用が可能となる和装服１を提供することができる。
【００７３】
このように、帯部２０は帯状の生地（前帯部２１，後帯部２２）が上身頃部１０の下端部１２ａ，１５ａ，１６ａの縁部全域に亘って縫合固定されている。したがって、使用者は、従来の着物を着付ける場合のように、別途に帯を着物本体の上から身体に巻き付けて帯を形成する作業を行う必要がなく、あらかじめ帯状の生地が上身頃部１０と一体に縫合固定されていることから、使用者は和装服１を着衣するのみで別途に帯を形成する必要がなく、迅速、簡易に着衣できる。
【００７４】
また、帯状の生地（前帯部２１，後帯部２２）を上身頃部１０及び下身頃部３０に縫合固定するのみで帯相当部分を形成することができることから、製作作業も容易である。
【００７５】
なお、図２に示した、生地２８は、具体的な形状や大きさを示すものではなく、例えば、必要に応じて縫い代等が設けられる。さらに、前帯部２１、後帯部２２、帯結び部２５は、例えば、市販の帯地を用いることができる。
【００７６】
市販の帯地は、袋帯で帯幅は８寸（約３０ｃｍ）、長さは１丈１尺〜１丈２尺（約４２０ｃｍ）、半幅帯は袋帯の半分の帯幅で４寸（約１５ｃｍ）、長さは８尺５寸（約３２２ｃｍ〜３５０ｃｍ）である。なお、この帯に関する「幅」は、上述したように一般的な帯における呼称として用いられる帯幅の方向に一致する「幅」であることを意味し、他の生地等における使用者の人体の身幅、すなわち、左右方向に一致する「幅」とは異なっている。
【００７７】
そして、これらの市販の帯地を用い、前帯部２１、後帯部２２、帯結び部２５に用いるように分断し、帯結び部２５を結ったうえで後帯部２２に後縫いで縫合固定することができる。したがって、市販の帯地の柄に応じて、結った際の柄合わせを容易に行うことができる。
【００７８】
一方、帯部２０の下方には御端折り部５０が設けられている。御端折り部５０は、前帯部２１の下方に位置する前側御端折り部５１と、後帯部２２の下方に位置する後側御端折り部５２とを備える。
【００７９】
前側御端折り部５１と後側御端折り部５２とは、図２に示すように、下身頃部３０の生地と同じ生地５３，５４から構成されており、長手方向に延びる折れ線Ｐ５を折れ線として折り返えされる。
【００８０】
したがって、帯部２０の下端部には、下身頃部３０の上端部の表面側に配置される御端折り部５０（前側御端折り部５１、後側御端折り部５２）が設けられていることから、従来の伝統的な着物と同様の外観品質を提供することができ、使用者は違和感なく着衣することができる。
【００８１】
なお、図２に示した、生地５３，５４は、具体的な形状や大きさを示すものではなく、例えば、必要に応じて縫い代等が設けられる。
【００８２】
下身頃部３０は、下部前身頃部３１と下部後身頃部３２とを有する。
【００８３】
下部前身頃部３１は、使用者の胴下半部及び両脚部を正面側から被覆しうる身幅寸法に形成された裏側下部前身頃部３３と、裏側下部前身頃部３３の表面側に裏側下部前身頃部３３と略一致する身幅寸法で重ね合わされて配置される表側下部前身頃部３４とを備える。
【００８４】
下部後身頃部３２は、使用者の胴下半部及び両脚部を正面側から被覆しうる身幅寸法に形成されている。
【００８５】
下部後身頃部３２、裏側下部前身頃部３３及び表側下部前身頃部３４は、図２に示すように、使用者の胴下半部及び両脚部を背面側から被覆しうる身幅寸法に形成された３つの生地３５，３６，３７により構成される。なお、以下の説明において、生地３５，３６，３７における「左右」は図１に示した和装服１として仕立てた状態を基準に、使用者の右手側を「右」、使用者の左手側を「左」として定義する。
【００８６】
３つの生地３５，３６，３７は、図示中央に位置して下部後身頃部３２に対応する生地３５の右側縁部３５ａと、裏側下部前身頃部３３に対応する生地３６の右側縁部３６ａと、が互いに縫合固定される。同様に、図示中央に位置して下部後身頃部３２に対応する生地３５の左側縁部３５ｂと、表側下部前身頃部３４に対応する生地３７の左側縁部３７ａと、が互いに縫合固定される。
【００８７】
これにより、生地３６，３７は、表裏で重ね合わされるように巻かれた状態、すなわち、図３に示すように、裏側下部前身頃部３３及び表側下部前身頃部３４として重ね合わされた状態で、下部後身頃部３２、裏側下部前身頃部３３及び表側下部前身頃部３４の各上端部３２ａ，３３ａ，３４ａが前帯部２１及び後帯部２２の各下端部２１ｂ，２２ｂの裏面側において縫製Ｓ４，Ｓ５によって前側御端折り部５１及び後側御端折り部５２と一緒に縫合固定されている。
【００８８】
このように、下身頃部３０は、裏側下部前身頃部３３及び表側下部前身頃部３４が重ね合わされた状態のまま帯部２０の裏面側において縫合固定されていることから、和装服１を構成するパーツ（生地３５，３６，３７）を容易に縫合して仕立てることができ、迅速かつ簡易に着衣できると共に、容易に作成することが可能な和装服１を提供することができる。
【００８９】
また、御端折り部５０は、独立して帯部２０に縫合固定されるため、帯部２０の下方における身丈方向の高さを一定に保つことができ、しかも、従来の着物の場合のように、下身頃部３０と連続した状態ではないため、着崩れの要因となることもない。
【００９０】
なお、図２に示した、生地３５，３６，３７は、具体的な形状や大きさを示すものではなく、例えば、必要に応じて縫い代やつま先部３６ｂ，３７ｂ等が設けられる。
【００９１】
このように、下身頃部３０は、使用者の胴下半部及び両脚部を正面側から被覆しうる身幅寸法に形成された裏側下部前身頃部３３及び裏側下部前身頃部３３の表面側に裏側下部前身頃部３３と一致する身幅寸法で重ね合わされて配置される表側下部前身頃部３４、並びに、使用者の胴下半部及び両脚部を背面側から被覆しうる身幅寸法に形成された下部後身頃部３２、により構成され、下部後身頃部３２の両側縁部（生地３５の左側縁部３５ａ，３５ｂ）において裏側下部前身頃部３３の一方の側縁部（生地３６の右側縁部３６ａ）と表側下部前身頃部３４の一方の側縁部（生地３７の左側縁部３７ａ）とが上下方向に沿って縫合固定されていることから、下身頃部３０は、着物のような重ね合わせの前開きを可能としたまま洋服のスカートのように構成されており、作成が容易な和装服１を提供することができる。
【００９２】
このように、上身頃部１０の上部前身頃部１１は、表側上部前身頃部１５と、表側上部前身頃部１５の裏側で一部が重ね合わされて配置される裏側上部前身頃部１６とを有すると共に、下身頃部３０の下部前身頃部３１は、表側下部前身頃部３４と、表側下部前身頃部３４の裏側で少なくとも一部が重ね合わされて配置される裏側下部前身頃部３３と、を備え、上身頃部１０の上部後身頃部１２、表側上部前身頃部１５及び裏側上部前身頃部１６、並びに、表側下部前身頃部３４及び裏側下部前身頃部３３は、重ね合わされた状態のまま帯部２０の裏面側において縫合固定されていることから、和装服１を構成するパーツ（生地３５，３６，３７）を容易に縫合して仕立てることができ、迅速かつ簡易に着衣できると共に、容易に作成することが可能な和装服１を提供することができる。
【００９３】
袖部４０は、上身頃部１０の左右に位置する右袖部４１と左袖部４２とを備えている。右袖部４１及び左袖部４２は、使用者の左右で回転対称の生地４３，４４を用い、この生地４３，４４を図示二点鎖線で示す折れ線Ｐ６で折り返すことにより使用者の正面側に位置する前面袖部４３ａ，４４ａと使用者の背面側に位置する背面袖部４３ｂ，４４ｂとを構成する。
【００９４】
なお、袖部４０の長さは、図１に示す右袂部４５と左袂部４６の長さに応じて、図２に示す紙面上下方向の長さが規定される。また、左袂部４６の内部には、袋状の収納部４７が設けられている。
【００９５】
これにより、袖部４０は、下部に右袂部４５と左袂部４６とが設けられているとともに、上身頃部１０の左右方向両端部及び各袂部４５，４６を除く内側の上縁部において、使用者の腕が通るように前身頃部１１及び後身頃部１２に夫々縫合固定される。
【００９６】
次に、図２に示した展開状態の各生地１３，１４，１８，２８，３５，３６，３７，４３，４４，５３，５４の縫合結合状態を説明する。なお、図２に示した状態は、紙面では裏生地側が見えているものとする。
【００９７】
上述した各生地１３，１４，１８，２８，３５，３６，３７，５３，５４において、使用者の左右方向に延びる縁部分は、帯部２０に対して縫製Ｓ１，Ｓ２，Ｓ４，Ｓ５で縫合固定されている。
【００９８】
これに対し、生地１３と生地４３、並びに、生地１４と生地４４とは、折れ線Ｐ１及び折れ線Ｐ６でそれぞれ折り返されて使用者の正面側と背面側とに位置する状態において、生地１３の人体外側縁部１３ｆの折れ線Ｐ１を境界とする略上側半分と、生地４３の人体内側縁部４３ｃの折れ線Ｐ６を境界とする略上半分と、が袖入口（図示せず）を構成するように縫合結合される。同様に、生地１４の人体外側縁部１４ｆの折れ線Ｐ１を境界とする略上側半分と、生地４４の人体内側縁部４４ｃの折れ線Ｐ６を境界とする略上半分と、が袖入口（図示せず）を構成するように縫合結合される。
【００９９】
一方、生地１３の人体外側縁部１３ｆの折れ線Ｐ１を境界とする残りの略下側半分が互いに縫合結合される。
【０１００】
また、生地４３の人体内側縁部４３ｃの折れ線Ｐ６を境界とする略下半分を含む残りの縁部全周のうち、使用者の手が通る右袖出口４１ａに対応する部分を除く縁部が互いに縫合結合されて袋状に構成される。
【０１０１】
他方、生地１４の人体外側縁部１４ｆの折れ線Ｐ１を境界とする略下側半分は、生地１４と生地４４との縫合結合部分の直下の所定範囲（例えば、２〜５ｃｍ）のみが縫合結合され、残りの下部は縫合されない非縫合構造部分となっている。
【０１０２】
また、生地４４の人体内側縁部４４ｃの折れ線Ｐ６を境界とする略下半分を含む残りの縁部全周のうち、使用者の手が通る左袖出口４２ａに対応する部分、及び、収納部４７を構成する袋状生地４８の開口部４８ａに対応する部分、を除く縁部が互いに縫合結合されて袋状に構成される。なお、開口部４８ａは、生地４４の人体内側縁部４４ｃの折れ線Ｐ６を境界とする略下半分と対応する部分において、前後で互いに縫合結合される。したがって、開口部４８ａは収納部４７の開口部４７ａ（後述する図５参照）として機能する。
【０１０３】
生地２８は、使用者の肥大側背面から左側正面に回り込むことでそれぞれ使用者の背面側及び正面側の各左手側において両方の縁部２８ａ，２８ｂが縫合されない非縫合構造部分となっている。これにより、この非縫合構造部分は上述した生地１４の非縫合構造部分と連続する。
【０１０４】
さらに、生地３５と生地３６とは、右側縁部３５ａと右側縁部３６ａとが上下方向の全体に跨って縫合結合される。これに対し、生地３６と生地３７とは、左側縁部３５ｂと左側縁部３７ａとが、使用者の高さ方向の上縁から下方に向かう所定範囲（例えば、１２〜２０ｃｍ）は縫合されない非縫合構造部分となっており、残りの縁部が互いに縫合結合されている。
【０１０５】
したがって、図１（Ａ）に示すように、使用者の左手側の身丈方向に沿う高さについて、高さＨ１の範囲は生地１４と生地４４との縫合結合範囲となる。また、高さＨ２の範囲は生地１４の使用者の正面側と背面側との縫合結合範囲（例えば、２〜５ｃｍ）となる。高さＨ３の範囲は、生地１４の非縫合構造部分、生地２８の両方の縁部２８ａ，２８ｂの非縫合構造部分、生地３６の左側縁部３５ｂと生地３７の左側縁部３７ａとの非縫合構造部分（例えば、１２〜２０ｃｍ）、が一連に連続し、図４（Ａ）に示すように、スリット部Ｗ１となる範囲となる。高さＨ４は、生地３６の左側縁部３５ｂと生地３７の左側縁部３７ａとのに縫合結合範囲となる。
【０１０６】
一方、図３に示すように、上身頃部１０及び下身頃部３０の使用者の左側の脇部には、上下方向に沿って帯部２０を跨るように配設された、高さＨ３の範囲における非縫合構造部分（スリット部Ｗ１）には、ファスナ部Ｆ１が設けられている。
【０１０７】
ファスナ部Ｆ１には、例えば、図２に示すように、周知のスライドファスナ３８が用いられている。したがって、使用者の左側の脇部は、人体外側縁部１４ｆの下部付近は非縫合結合とされてスライド式ファスナ３８の一部（上端部）が設けられ、縁部２８ａと縁部２８ｂとは非縫合結合とされてスライド式ファスナ３８の一部（中央部）が設けられ、左側縁部３５ｂと左側縁部３７ａとの上部付近は非縫合結合とされてスライド式ファスナ３８の一部（下端部）が設けられ、これら一連のスライド式ファスナ３８によって構成されたファスナ部Ｆ１によってスリット部Ｗ１が開閉可能とされている。これにより、図４（Ａ）に示すように、和装服１の着衣時にはファスナ部Ｆ１を下げて開放しておき、上身頃部１０及び下身頃部３０の生地の張りに余裕がある状態で、下身頃部３０の下端部側から被るように身体を通す。一方、着衣後には、図４（Ｂ）に示すように、ファスナ部Ｆ１を閉止して上身頃部１０及び下身頃部３０を本来の形に形成して着付けを完了する。また、和装服１の脱衣時には、ファスナ部Ｆ１を下げて上身頃部１０及び下身頃部３０の生地に余裕を持たせた状態で脱ぐことができる。従って、より一層、容易かつ迅速な着衣並びに脱衣作業が可能となる。
【０１０８】
また、袖部４０は、下部に右袂部４５と左袂部４６とが設けられているとともに、上身頃部１０の左右方向両端部及び右袂部４５と左袂部４６とを除く内側の上縁部において、使用者の腕が通るように上部前身頃部１１と上部後身頃部１２とに夫々縫合固定されており、図５に示すように、左袂部４６の脇対向部位には上下方向に沿ってファスナ部Ｆ２により開閉可能に形成された開口部４７ａを有する収納部４７が設けられている。ファスナ部Ｆ２には、例えば、図２に示すように、周知のスライドファスナ４９が用いられている。したがって、使用者は着衣時には、図５（Ａ）に示すように、ファスナ部Ｆ２により開口部４７ａを開放して、収納部４７に身の回りの携帯用小物を適宜収納することができる。そして、図５（Ｂ）に示すように、ファスナ部Ｆ２により開口部４７ａを閉止して、収納物の落下を防止した状態で持ち歩くことができる。
【０１０９】
従って、伝統的な着物や、改良された従来の着物とは異なり、身の回りの小物の収納性、携帯性に富んだ和装服１を提供することができる。
【０１１０】
このように、和装服１は、上身頃部１０と、上身頃部１０の下端部に設けられた帯部２０と、帯部２０の下端部に設けられた下身頃部３０と、上身頃部１０の外側部に設けられた一対の袖部４０と、を備え、上身頃部１０は上部前身頃部１１と上部後身頃部１２とを有すると共に、下身頃部３０は下部前身頃部３１と下部後身頃部３２と、を有し、上部前身頃部１１、上部後身頃部１２、下部前身頃部３１及び下部後身頃部３２は帯部２０の裏面側において互いに縫合固定されており、下身頃部３０の下端部から使用者が被るだけの着衣作業で事足りることから、従来の伝統的な着物、及び従来提案されていた改良された着物とは異なり、着衣時に上下の前身頃部を身体の前で合わせる必要がなく、また、合わせた前身頃部の上から帯を装着する必要がないことから、従来の伝統的な着物の着付けのように、煩雑な着衣作業や帯の装着作業を行う必要がなく、下身頃部３０の下端部から使用者が被るだけの着衣作業で事足りるように構成されていることから、伝統的な着物における、全体として約６０工程に及ぶ着付け作業をほぼ１工程に簡略化することができるため、迅速かつ簡易に着付けることができる。
【０１１１】
この際、上身頃部１０及び下身頃部３０の脇部には、上下方向に沿って帯部２０を跨るように配設された非縫合構造のスリット部Ｗ１をファスナ部Ｆ１で開閉可能に形成することにより、和装服１の着衣時にはファスナ部Ｆ１を下げてスリット部Ｗ１を開放しておき、上身頃部１０及び下身頃部３０の生地の張りに余裕がある状態で、下身頃部３０の下端部側から被るように身体を通し、着衣後にはファスナ部Ｆ１を閉止して上身頃部１０及び下身頃部３０を本来の形に形成して着付けを完了する。また、和装服１の脱衣時には、ファスナ部Ｆ１を下げて上身頃部１０及び下身頃部３０の生地に余裕を持たせた状態で脱ぐことができる。従って、より一層、容易かつ迅速な着衣並びに脱衣作業が可能となる。
【０１１２】
なお、このような構成の和装服１は、図６に示すように、使用者の身長及び胸囲の数値に基づき複数のサイズを用意することができる。この際、例えば、小柄とされる日本人を基準とするサイズと、例えば、大柄とされるアメリカ等を基準とする外国人用のサイズとを用意するのが好ましい。これにより、洋服と同様の概念で、使用者の体形、身体の大きさに合わせて複数種類のサイズの和装服１を準備しておくことにより、使用者に最適な大きさの和装服１を迅速かつ容易に着衣してもらうことが可能となる。
【０１１３】
ところで、図２に示すように、表側上部前身頃部１５を構成する生地１３の下縁部及び裏側上部前身頃部１６を構成する生地１４の下縁部は、使用者の左右脇腹に向かう程に緩やかに丈が短くなっており、前帯部２１の上端部２１ａを裏面側で重ね合わされて縫合結合するための重ね部分１３ｇ，１４ｇが設けられている。
【０１１４】
そして、この重ね部分１３ｇ，１４ｇのうちの斜線で示す範囲を手繰り寄せるようにして縫製Ｓ２で縫合結合することにより、タック部１９が形成される。なお、重ね部分１３ｇ，１４ｇは、和装服１のサイズに応じた数だけ設けられる（図では２タック分）。
【０１１５】
また、重ね部分１３ｇ，１４ｇのうちの斜線で示す範囲を手繰り寄せた状態で前帯部２１の上端部２１ａと縫合結合することにより、生地１３の下縁部及び生地１４の下縁部が使用者の左右脇腹に向かう程に緩やかに丈が短くなっていることと相俟って、表側上部前身頃部１５及び裏側上部前身頃部１６に対して前帯部２１が斜めになることなく、見掛け上の水平状態での縫合結合を可能とすることができる。
【０１１６】
（実施の形態２）
図７〜図１０は、実施の形態２（他の一実施の形態）に係る和装服２を示す。なお、この実施の形態２において、上記実施の形態１と同一もしくは実質的に同一の構成には、同一の符号を付して個々の具体的な説明は省略し、大略の構成と実施の形態１との相違部分を主として説明する。なお、袖部４０は、実施の形態１と同一である。
【０１１７】
この実施の形態２において、上記実施の形態１と大きく異なる点は、以下に示す３点である。
【０１１８】
１点目として、通常の着物にあっては、反物を所定の形状に切断して縫い合わせることにより作製されている。ここで、着物用の反物は、旧式の９寸５分（約３６ｃｍ）では身長が１６３ｃｍ程度の女性にしか対応ができないことから、近年では９寸８分（約３７ｃｍ）が標準とされており、例外的に１尺（約３７．９ｃｍ）〜１尺１寸（約４１．７ｃｍ）程度の広幅まで織られるようになっている。これにより、例えば、図１（Ｂ）に示した縫い目Ｎ１のように、布材と布材とのつなぎ目が見かけ上において存在する。
【０１１９】
これに対し、上記実施の形態１では、その縫い目を使用者の側面側に配置して、上述した外国人を含む大柄な人でも着ることができる和装服１としていたが、この場合には、着物の慣習としての縫い目が存在せず、見かけ上での着物との差が大きくなってしまう。
【０１２０】
そこで、この実施の形態２に係る和装服２では、図７に示すように、上述した縫い目Ｎ１と同様に、生地の縫合固定による縫合筋Ｎ２〜Ｎ４を追加した。なお、図８に示した生地上では、分離した図示とはせずに、そのまま生地を縫製した縫合筋Ｎ２〜Ｎ４として図示している。これにより、縫合筋Ｎ１〜Ｎ３は、通常の着物と同様の使用者の左右中央に位置する縫い筋となっており、縫合筋Ｎ４は、通常の着物と同様の衽（おくみ）としての縫い筋となっている。したがって、下身頃部３０は、縫合筋Ｎ３〜Ｎ４を追加して生地を細分化した以外の実質的な構成は実施の形態１と同一であるため、この縫合筋Ｎ３〜Ｎ４を追加した下身頃部３０を実施の形態１に採用してもよい。同様に、実施の形態１にいて、また、実施の形態１に示した表側上部前身頃部１５に縫合筋Ｎ２を追加することも可能である。なお、詳細は後述するが、左側縁部３５ｂと左側縁部３７ａとの上部付近は非縫合結合とされてスライド式ファスナ３９が設けられている。
【０１２１】
２点目として、上記実施の形態１では、帯部２０を構成する生地２８に使用者の上下に位置する各生地１３，１４，３５，３６，３７を縫合固定したことにより、その縫製Ｓ１，Ｓ２，Ｓ４，Ｓ５の糸目が見えてしまい、目立ち易かった。
【０１２２】
そこで、この実施の形態２では、上述した帯部２０を、固定側帯部７０と、固定側帯部７０の表面側に、使用者の胴回りを周回以上回り込む自由端側帯部８０と、で構成したものである。
【０１２３】
固定側帯部７０は、図９に示すように、使用者の正面側を被覆しうる長さ寸法に形成された前帯部７１と、使用者の背面側を被覆しうる長さ寸法に形成された後帯部７２と、で使用者の前後に跨るような長さに構成されている。前帯部７１と後帯部７２とは、図８に示すように、一般的な絹製の帯と同じ生地７３を用いている。
【０１２４】
後帯部７２のうち、展開状態で示す生地７３の左側の折れ線Ｐ７から延長された左側端部７３ａは、所定の長さ寸法（例えば、２〜４ｃｍ）だけ長く延長され、その表面側には雌雄一方の面ファスナ７４が設けられている。
【０１２５】
同様に、前帯部７１のうち、展開状態で示す生地７３の右側の折れ線Ｐ７から延長された右側部７３ｂは、所定の長さ寸法（例えば、２〜４ｃｍ）だけ長く延長され、その表面側には、面ファスナ７４と係合するように雌雄を異ならせた面ファスナ７５が設けられている。
【０１２６】
固定側帯部７０は、前帯部７１の上端部７１ａが表側上部前身頃部６５の下端部６５ａ及び裏側上部前身頃部６６の下端部６６ａと、及び、後帯部７２の上端部７２ａが上部後身頃部６２の下端部６２ａと、それぞれ縫製Ｓ１，Ｓ２によって縫合固定されている。
【０１２７】
固定側帯部７０は、前帯部７１の下端部７１ｂが裏側下部前身頃部３３の上端部３３ａ及び表側下部前身頃部３４の上端部３４ａと、後帯部７２の延長部分を除く下端部７２ｂが下部後身頃部３２の上端部３２ａと、端折り部５１及び端折り部５２と、それぞれ縫製Ｓ４，Ｓ５によって縫合固定されている。
【０１２８】
この際、図８に示すように、生地７３の折れ線Ｐ７から延長された左側端部７３ａ及び右側端部７３ｂが非縫合結合部分として使用者の左手側において折れ線Ｐ７で身体側に折り返されることにより、図９に示すように、後帯部７２及び前帯部７１の持出部７２ｃ及び持出部７１ｃとなる。これにより、面ファスナ７４と面ファスナ７５とが互いに係合するようになっている。
【０１２９】
このように、固定側帯部７０の前帯部７１及び後帯部７２とは、実施の形態１の前帯部２１及び後帯部２２に設けた一連のスライドファスナを用いたファスナ部Ｆ２とは異なり、折れ線Ｐ７から延長された持出部７１ｃ，７２ｃに設けた面ファスナ７４，７５を用いたファスナ部Ｆ３による係合状態とすることができる。
【０１３０】
自由端側帯部８０は、使用者の正面側を被覆しうる長さ寸法と使用者の背面側を被覆しうる長さ寸法とを加えた長さ寸法よりも長く、使用者の背中側から胴回り方向を周回する以上の長さ寸法を有する被覆帯部８１と、使用者の背面側に位置して所定の帯結びとされた（図示例は全巾帯でオリジナルのお太鼓結び）帯結び部８２と、を備える。
【０１３１】
帯結び部８２は、被覆帯部８１の上縁に沿って縫製Ｓ３により縫合固定されている。また、帯結び部８２には、帯締め２６の中央が固定されており、前面結部２７で予め結ばれている。
【０１３２】
被覆帯部８１は、図８に示すように、生地７３と同じ生地８３を用いている。この被覆帯部８１に対応する生地８３は、生地７３の折れ線Ｐ７と一致する始端部８３ａから右側に向かう所定の位置、すなわち、生地７３の長さ方向中央付近の下側に雌雄一方の面ファスナ８４が設けられている。また、生地８３の終端部８３ｂは、下向きに先細りとなるように傾斜され、被覆帯部８１と帯結び部８２との間に入り込ませることができるようになっている。生地８３の終端部８３ｂには、面ファスナ８４と係合可能な雌雄の異なる面ファスナ８５が設けられている。
【０１３３】
被覆帯部８１は、例えば、帯地の２枚重ねから生地８３を構成している。被覆帯部８１は、使用者の背面側の左右両端付近の上下が後帯部７２と縫製Ｓ６，Ｓ７によって固定されている。この際、縫製Ｓ６，Ｓ７は、２枚重ねの内側で折り返し、見掛け上で縫製糸が見えないようになっている。
【０１３４】
このように、帯部２０は、固定側帯部７０と自由端側帯部８０とで構成するとともに、前帯部７１に対する表側上部前身頃部６５及び裏側上部前身頃部６６、並びに、後帯部７２に対する上部後身頃部６２、を縫合固定するための縫製Ｓ１，Ｓ２、前帯部７１に対する裏側下部前身頃部３３及び表側下部前身頃部３４、並びに、後帯部７２に対する下部後身頃部３２、を縫合固定するための縫製Ｓ４，Ｓ５、を自由端側帯部８０で覆い隠すことができる。
【０１３５】
また、半幅帯で太鼓結びをする場合には、例えば、小春太鼓や風船太鼓のように帯幅を広げる必要があるが、予め結んだ帯を縫製Ｓ３で縫い付けているため、結び部８１を袋帯と同じ帯幅として、垂れ８２ａや羽根８２ｂを備えるなど、バラエティに富んだ袋帯や半幅帯を用いたオリジナルの結びとすることができる。また、固定側帯部７０と自由端側帯部８０との二重帯構造を採用したことで、固定側帯部７０と自由端側帯部８０との正面側の間に、結び部８１を持ち上げるための市販の帯揚げ（図示せず）を収納することも可能となり、より一層、正式な着物らしい着付けを実現することができる。
【０１３６】
３点目として、実施の形態１では、高さＨ３の範囲における非縫合構造部分の全長をスライド式ファスナを採用したファスナ部Ｆ１で開閉可能としたが、この実施の形態２では、身体の上部から順に、一部（図７に示す高さＨ５）を非縫合部分、一部（図７に示す高さＨ６）に面ファスナ７４，７５からなるファスナ部Ｆ３を採用した開閉可能部分、一部（図７に示す高さＨ７）にスライド式ファスナ３９からなるファスナ部Ｆ４を採用した開閉可能部分としたものである。
【０１３７】
図７に示すように、実施の形態２における上身頃部６０は、上部前身頃部６１と上部後身頃部６２とを有する。
【０１３８】
上身頃部６０は、図８に示すように、使用者の左右で一部を除き回転対称である生地６３，６４を用いている。この生地６３，６４のうち、折れ線Ｐ１を境界として図示上側の上部後身頃部６２に対応する部位６３ａ，６４ａの人体中心側縁部６３ｂ，６４ｂを縫合固定することによって構成される。したがって、上身頃部６０は、生地６３，６４を折れ線Ｐ１で折り返すことにより使用者の正面側と背面側とに分かれ、上部前身頃部６１と上部後身頃部６２となる。
【０１３９】
なお、図７（Ｂ）における符号Ｎ１はその縫合筋である。これにより、生地６３，６４のうち、折れ線Ｐ１を境界として図示下側の上部前身頃部６１に対応する部位６３ｃ，６４ｃは、使用者の右手側に配置される表側上部前身頃部６５と、表側上部前身頃部６５の裏側で一部が重ね合わされた状態で使用者の左手側に配置される裏側上部前身頃部６６となる。
【０１４０】
さらに、生地６３，６４の上部後身頃部６２に対応する部位６３ａ，６４ａの上縁部６３ｄ，６４ｄから生地６３，６４の上部前身頃部６１に対応する部位６３ｃ，６４ｃの傾斜縁部６３ｅ，６４ｅにかけて連続する縁部分には、図７に示すように、衿部６７が設けられている。
【０１４１】
衿部６７は、図８に示すように、略長方形（両端部の形状は任意）の帯状の生地６８を長手方向に沿う折れ線Ｐ２で半折りしたものを上縁部６３ｄ，６４ｄから傾斜縁部６３ｅ，６４ｅに沿って縫合固定したものである。したがって、折れ線Ｐ１は、衿部６７の衿幅と奥襟を考慮した分だけ上縁部６３ｄ，６４ｄから部位６３ｃ，６４ｃに寄った位置となる。なお、折れ線Ｐ３は上縁部６３ｄ，６４ｄから傾斜縁部６３ｅ，６４ｅに至る屈曲部分である。さらに、衿部６７の内側には、図７に示すように、生地６８とは異なる色や種類の飾り衿部６７Ａが設けられている。
【０１４２】
ところで、図８に示すように、表側上部前身頃部６５を構成する生地６３の下縁部及び裏側上部前身頃部６６を構成する生地６４の下縁部は、使用者の左右脇腹に向かう程に緩やかに丈が短くなっており、前帯部７１の上端部７１ａを裏面側で重ね合わされて縫合結合するための重ね部分６３ｇ，６４ｇが設けられている。
【０１４３】
そして、この重ね部分６３ｇ，６４ｇのうちの斜線で示す範囲を手繰り寄せるようにして縫製Ｓ２で縫合結合することにより、タック部６９が形成される。なお、重ね部分６３ｇ，６４ｇは、和装服２のサイズに応じた数だけ設けられる（図では２タック分）。
【０１４４】
また、重ね部分６３ｇ，６４ｇのうちの斜線で示す範囲を手繰り寄せた状態で前帯部７１の上端部７１ａと縫合結合することにより、生地６３の下縁部及び生地６４の下縁部が使用者の左右脇腹に向かう程に緩やかに丈が短くなっていることと相俟って、表側上部前身頃部６５及び裏側上部前身頃部６６に対して前帯部７１が斜めになることなく、見掛け上の水平状態での縫合結合を可能とすることができる。
【０１４５】
なお、図８の展開状態は、図７（Ａ）に示す使用者の正面側を基準として示し、使用者の左手側及び右手側と左右方向（図８の紙面では逆方向）とが一致している。また、図８に示した各生地６３，６４，６８は、図７（Ａ）に示した状態を単純に展開して示しており、具体的な形状や大きさ（比率を含む）を限定的に示すものではなく、例えば、必要に応じて縫い代等が設けられる。
【０１４６】
図７に示すように、衿部６７を含む上部前身頃部６１及び上部後身頃部６２は、一部が前後で重ね合わされた状態のまま帯部２０の裏面側において、縫合固定されている。
【０１４７】
なお、上身頃部６０は、例えば、表側上部前身頃部６５及び裏側上部前身頃部６６の適宜位置に一つ以上のタック部６９が設けられている。タック部６９は、帯部２０の上方において正面側の左右に対で設けられており、その下端は帯部２０の上縁部分で収束している。
【０１４８】
このように、上身頃部６０の帯部２０よりも上方には、上下方向に沿ってタック部６９が設けられていることから、洋服の場合と同様に、使用者のウエスト部分からバスト部分へと向かう周り方向の拡径に伴う立体的なシルエットを形成することができ、ゆとりのある着心地を提供できると共に、使用者の身体が各種の立ち居振る舞い、日常の運動作業を行う場合にも、生地が張ってしまい身体の動きが規制されることがなく、余裕をもって動作をすることができる和装服２を提供することができる。
【０１４９】
ここで、この実施の形態２における生地６４には、展開状態における折れ線Ｐ１を境として上部後身頃部６２に対応する部位６３ａの上部並びに上部前身頃部６１に対応する部位６３ｃの下部のそれぞれに、人体外側縁部６４ｆよりも外側に突出された突片部６４ｈが設けられている。
【０１５０】
この突片部６４ｈは、折れ線Ｐ８で内側に折り返されることにより、図１０に示すように、高さＨ５に対応する部分のスリット部Ｗ２によって外側から内側が見えないようにする持出部６２ｂを構成する。
【０１５１】
これにより、図１０に示すように、高さＨ３の範囲における非縫合構造部分（スリット部）のうち、図１０（Ａ）に示すように、高さＨ５に対応する生地６４の非縫合構造部分としてのスリット部Ｗ２は、図１０（Ｂ）に示すように、持出部６２ｂが合わさることにより、見掛け上で閉じた状態とすることができる。また、高さＨ６に対応する生地７３の非縫合構造部分としてのスリット部Ｗ３は、図１０（Ｂ）に示すように、持出部６２ｂに設けた雌雄の異なる面ファスナ７４，７５で構成されるファスナ部Ｆ３で開閉可能となっている。さらに、高さＨ７に対応する生地３６の左側縁部３５ｂと生地３７の左側縁部３７ａとの非縫合構造部分としてのスリット部Ｗ４は、下部前身頃部３１及び下部後身頃部３２に設けたスライド式ファスナ３９から構成されるファスナ部Ｆ４で開閉可能となっている。
【０１５２】
したがって、高さＨ５における持出部６２ｂは、対応する生地６４の突片部６４ｈの突出量が面ファスナ７４，７５の長さと略同長さだけ突出しているのが望ましい。なお、この「長さ」とは、上述した帯における「幅幅」の方向と直交する方向を意味する。したがって、高さＨ６は、帯幅方向に一致している。
【０１５３】
したがって、使用者の胴回り寸法に応じて、面ファスナ７４，７５の長さに対する係合位置を調整することにより、ある程度の締め付け力の調整が可能となっている。
【０１５４】
このように、固定側帯部７０の表面と重なるように、スリット部Ｗ３の近傍に始端部８３ａが縫製Ｓ６，Ｓ７によって縫合固定され、使用者の背中側から胴回り方向を周回してスリット部Ｗ３を覆ったうえで面ファスナ８５を裏面側に設けた被覆帯部８１を設けたことにより、着物としての見掛けを確保することができる。
【０１５５】
また、使用者の左側の脇部は、人体外側縁部６４ｆの下部付近（高さＨ５）は非縫合結合とされ、左側端部７３ａと右側端部７３ｂとは全幅に跨って（高さＨ６）非縫合結合とされて面ファスナ７４，７５によりファスナ部Ｆ３が設けられ、左側縁部３５ｂと左側縁部３７ａとの上部付近（高さＨ７）は非縫合結合とされてスライド式ファスナ３９によりファスナ部Ｆ４が設けられ、実施の形態１におけるファスナ部Ｆ１と同様の機能（着易さ・脱ぎ易さ）が担保されている。
【０１５６】
（実施の形態２の変形例）
なお、上記実施の形態２では、帯部２０を、固定側帯部９０と、固定側帯部９０の表面側に、使用者の胴回りを周回以上回り込む自由端側帯部１００と、で構成するとともに、それらの帯幅（使用者の高さ方向）を同一としたものであるが、同一でなくてもよい。
【０１５７】
例えば、実施の形態２の変形例として、図１１及び図１２に示すように、帯部２０を、固定側帯部９０と、固定側帯部９０の表面側に、使用者の胴回りを周回以上回り込む自由端側帯部９０と、で構成するとともに、自由端側帯部９０の帯幅を固定側帯部９０の帯幅よりも広くしてもよい。なお、この帯幅の広狭は、どちらを基準としてもよく、結果的に自由端側帯部９０の帯幅の方が固定側帯部９０の帯幅よりも広いことを意味する。
【０１５８】
この際、固定側帯部９０は、上記実施の形態２と同様に、使用者の正面側を被覆しうる長さ寸法に形成された前帯部９１と、使用者の背面側を被覆しうる長さ寸法に形成された後帯部９２と、で使用者の前後に跨るような長さに構成されている。前帯部９１と後帯部９２とは、図１１に示すように、一般的な絹製の帯と同じ生地９３を用いている。
【０１５９】
後帯部９２のうち、展開状態で示す生地９３の左側の折れ線Ｐ９から延長された左側端部９３ａは、所定の長さ寸法（例えば、２〜４ｃｍ）だけ長く延長され、その表面側には雌雄一方の面ファスナ９４が設けられている。後帯部９２のうち、展開状態で示す生地９３の左側の折れ線Ｐ９よりも内方の表面側には、帯幅方向の略全幅に跨るように雌雄一方の面ファスナ９６が設けられている。さらに、後帯部９２のうち、展開状態で示す生地９３の右端付近、すなわち、生地９３の全長に対する中央の折れ線Ｐ４を境界として後帯部９２と前帯部９１とに割り当てられる場合に、その境界よりも後帯部９２として用いられる使用者の右手側の端部付近には、帯幅方向の両端（使用者の身丈方向である上下方向の両端）には、雌雄一方の一対の面ファスナ９７が設けられている。
【０１６０】
同様に、前帯部９１のうち、展開状態で示す生地９３の右側の折れ線Ｐ９から延長された右側部９３ｂは、所定の長さ寸法（例えば、２〜４ｃｍ）だけ長く延長され、その表面側には、面ファスナ９４と係合するように雌雄を異ならせた面ファスナ９５が設けられている。
【０１６１】
固定側帯部９０は、前帯部９１の上端部９１ａが表側上部前身頃部６５の下端部６５ａ及び裏側上部前身頃部６６の下端部６６ａと、及び、後帯部９２の上端部９２ａが上部後身頃部６２の下端部６２ａと、それぞれ縫製Ｓ１，Ｓ２によって縫合固定されている。
【０１６２】
固定側帯部９０は、前帯部９１の下端部９１ｂが裏側下部前身頃部３３の上端部３３ａ及び表側下部前身頃部３４の上端部３４ａと、後帯部９２の延長部分を除く下端部９２ｂが下部後身頃部３２の上端部３２ａと、端折り部５１及び端折り部５２と、それぞれ縫製Ｓ４，Ｓ５によって縫合固定されている。
【０１６３】
この際、生地９３の折れ線Ｐ９から延長された左側端部９３ａ及び右側端部９３ｂが非縫合結合部分として使用者の左手側において折れ線Ｐ９で身体側に折り返されることにより、後帯部９２及び前帯部９１の持出部９２ｃ及び持出部９１ｃとなる。これにより、面ファスナ９４と面ファスナ９５とが、スリット部Ｗ３を開閉するファスナ部（Ｆ３）として互いに係合するようになっている。
【０１６４】
自由端側帯部１００は、使用者の正面側を被覆しうる長さ寸法と使用者の背面側を被覆しうる長さ寸法とを加えた長さ寸法よりも長く、使用者の背中側から胴回り方向を周回する以上の長さ寸法を有する被覆帯部１０１と、使用者の背面側に位置して所定の帯結びとされた（図示例は全巾帯でオリジナルのお太鼓結び）帯結び部（図示せず）と、を備える。
【０１６５】
被覆帯部１０１は、固定側帯部９０の生地９３と同じ生地１０３を用いている。この被覆帯部１０１に対応する生地１０３は、生地９３の折れ線Ｐ９と一致する始端部１０３ａから右側に向かう所定の位置、すなわち、生地９３の幅方向中央付近の下側に雌雄一方の面ファスナ１０４が設けられている。また、生地１０３の終端部１０３ｂは、下向きに先細りとなるように傾斜され、被覆帯部１０１と帯結び部との間に入り込ませることができるようになっている。生地１０３の終端部１０３ｂには、面ファスナ１０４と係合可能な雌雄の異なる面ファスナ１０５が設けられている。
【０１６６】
被覆帯部１０１は、使用者の背面側において左右両端に位置する部位のうち、左端付近には帯幅方向の略全幅に跨るように面ファスナ９６と雌雄を異ならせた面ファスナ１０６が設けられ、右端付近には帯幅方向の両端（使用者の身丈方向である上下方向の両端）に位置するように、面ファスナ９７と雌雄を異ならせた一対の面ファスナ１０７が設けられている。なお、面ファスナ１０７は、その帯幅方向の高さが面ファスナ９７の帯幅方向の高さよりも高くなっている。
【０１６７】
上記実施の形態２においては、被覆帯部８１は、スリット部Ｗ３の近傍を含む使用者の背面側の左右両端の上下が後帯部９２と縫製Ｓ６，Ｓ７によって縫合固定（縫合支持）されていた。これに対し、この変形例では、使用者の背面側の左右両端のうちの左端であるスリット部Ｗ３の近傍は、固定側帯部９０の表面に設けた支持側係合部としての面ファスナ９６に被支持側係合部としての面ファスナ１０６が係合して係合支持される。同様に、使用者の背面側の左右両端のうちの右端付近は、上下一対の面ファスナ１０７に面ファスナ１０７が係合することにより係合支持される。
【０１６８】
ここで、図１１に示すように、自由端側帯部１００としての生地１０３の帯幅である高さＨ８は固定側帯部９０としての生地９３の帯幅である高さＨ９よりも高い（広い）くなっている。
【０１６９】
これにより、例えば、総じて東洋人或いは世代の古い日本人の体形に多い腰骨よりも上方の座高が高い（足が短い）使用者と、総じて西洋人或いは世代の若い日本人の体形に多い腰骨よりも上方の座高が低い（足が長い）使用者と、によって固定側帯部９０の腰骨を基準とした使用者の座高の高低に応じて固定側帯部９０による締め付け位置を調整することができる。
【０１７０】
図１２は、その固定側帯部９０による締め付け位置を調整した一例を示す。例えば、総じて東洋人或いは世代の古い日本人の体形に多い腰骨よりも上方の座高が高い（足が短い）使用者の場合には、図１２（Ａ）に示すように、自由端側帯部１００の下縁部と固定側帯部９０の下縁部とが一致する最大下方許容位置までの範囲において、固定側帯部９０を下げることができる。また、総じて西洋人或いは世代の若い日本人の体形に多い腰骨よりも上方の座高が低い（足が長い）使用者の場合には、図１２（Ｂ）に示すように、自由端側帯部１００の上縁部と固定側帯部９０の上縁部とが一致する最大上方許容位置までの範囲において、固定側帯部９０を上げることができる。
【０１７１】
なお、自由端側帯部８０、１００は、１枚でなくて複数枚で構成して重厚感を確保することも可能である。また、全体として帯生地は、実際の着物用の帯生地を使用せず、他の装飾等を施した生地を使用することも可能である。
【符号の説明】
【０１７２】
１    和装服
２    和装服
１０    上身頃部
１１    上部前身頃部
１２    上部後身頃部
１２ａ    下端部
１２ｂ    持出部
１３    生地
１３ａ    部位
１３ｂ    人体中心側縁部
１３ｃ    部位
１３ｄ    上縁部
１３ｅ    傾斜縁部
１３ｆ    人体外側縁部
１３ｇ    重ね部分
１４    生地
１４ａ    部位
１４ｂ    人体中心側縁部
１４ｃ    部位
１４ｄ    上縁部
１４ｅ    傾斜縁部
１４ｆ    人体外側縁部
１４ｇ    重ね部分
１４ｈ    突片部
１５    表側上部前身頃部
１５ａ    下端部
１５ｂ    持出部
１６    裏側上部前身頃部
１６ａ    下端部
１７    衿部
１７Ａ  飾り衿部
１８    生地
１９    タック部
２０    帯部（固定側帯部）
２１    前帯部
２１ａ    上端部
２１ｂ    下端部
２２    後帯部
２２ａ    上端部
２２ｂ    下端部
２３    前側裏地部
２４    後側裏地部
２５    帯結び部
２６    帯締め
２７    前面結部
２８    生地
２８ａ    縁部
２８ｂ    縁部
３０    身頃部
３１    下部前身頃部
３２    下部後身頃部
３２ａ    上端部
３３    裏側下部前身頃部
３４    表側下部前身頃部
３５    生地
３５ａ    右側縁部
３５ｂ    左側縁部
３６    生地
３６ａ    右側縁部
３６ｂ    つま先部
３７    生地
３７ａ    左側縁部
３７ｂ    つま先部
３８    スライドファスナ
３９    スライドファスナ
４０    袖部
４１    右袖部
４２    左袖部
４３    生地
４３ａ    前面袖部
４３ｂ    背面袖部
４３ｃ    人体内側縁部
４４    生地
４４ａ    前面袖部
４４ｂ    背面袖部
４４ｃ    人体内側縁部
４５    右袂部
４６    左袂部
４７    収納部
４７ａ    開口部
４８    袋状生地
４８ａ    開口部
４９    スライドファスナ
５０    端折り部
５１    端折り部
５２    端折り部
５３    生地
６０    上身頃部
６１    上部前身頃部
６２    上部後身頃部
６２ａ    下端部
６２ｂ    持出部
６３    生地
６３ａ    部位
６３ｂ    人体中心側縁部
６３ｃ    部位
６３ｄ    上縁部
６３ｅ    傾斜縁部
６３ｆ    人体外側縁部
６３ｇ    重ね部分
６４    生地
６４ａ    部位
６４ｂ    人体中心側縁部
６４ｃ    部位
６４ｄ    上縁部
６４ｅ    傾斜縁部
６４ｆ    人体外側縁部
６４ｇ    重ね部分
６４ｈ    突片部
６５    表側上部前身頃部
６５ａ    下端部
６６    裏側上部前身頃部
６６ａ    下端部
６７    衿部
６７Ａ  飾り衿部
６８    生地
６９    タック部
７０    固定側帯部
７１    前帯部
７１ａ    上端部
７１ｂ    下端部
７１ｃ    持出部
７２    後帯部
７２ａ    上端部
７２ｂ    下端部
７２ｃ    持出部
７３    生地
７３ａ    左側端部
７３ｂ    右側端部
７４    面ファスナ
７５    面ファスナ
８０    自由端側帯部
８１    被覆帯部
８２    帯結び部
８２ａ  垂れ
８２ｂ  羽根
８３  生地
８３ａ  始端部
８３ｂ  終端部
８４    面ファスナ
８５    面ファスナ
９０    固定側帯部
９１    前帯部
９１ａ    上端部
９１ｂ    下端部
９１ｃ    持出部
９２    後帯部
９２ａ    上端部
９２ｂ    下端部
９２ｃ    持出部
９３    生地
９３ａ    左側端部
９３ｂ    右側端部
９４    面ファスナ
９５    面ファスナ
９６    面ファスナ（支持側係合部）
９７    面ファスナ
１００    自由端側帯部
１０１    被覆帯部
１０３  生地
１０３ａ  始端部
１０３ｂ  終端部
１０４    面ファスナ
１０５    面ファスナ
１０６    面ファスナ（被支持側係合部）
１０７    面ファスナ
Ｈ１    高さ
Ｈ２    高さ
Ｈ３    高さ
Ｈ４    高さ
Ｈ５    高さ
Ｈ６    高さ
Ｈ７    高さ
Ｈ８    高さ（帯幅）
Ｈ９    高さ（帯幅）
Ｆ１    ファスナ部
Ｆ２    ファスナ部
Ｆ３    ファスナ部
Ｆ４    ファスナ部
Ｐ１    折れ線
Ｐ２    折れ線
Ｐ３    折れ線
Ｐ４    折れ線
Ｐ５    折れ線
Ｐ６    折れ線
Ｐ７    折れ線
Ｐ８    折れ線
Ｐ９    折れ線
Ｓ１    縫製
Ｓ２    縫製
Ｓ３    縫製
Ｓ４    縫製
Ｓ５    縫製
Ｓ６    縫製
Ｓ７    縫製
Ｗ１    スリット部
Ｗ２    スリット部
Ｗ３    スリット部
Ｗ４    スリット部
【図１】
2020059946.tif 000003
【図２】
2020059946.tif 000004
【図３】
2020059946.tif 000005
【図４】
2020059946.tif 000006
【図５】
2020059946.tif 000007
【図６】
2020059946.tif 000008
【図７】
2020059946.tif 000009
【図８】
2020059946.tif 000010
【図９】
2020059946.tif 000011
【図１０】
2020059946.tif 000012
【図１１】
2020059946.tif 000013
【図１２】
2020059946.tif 000014
【手続補正書】
【提出日】令和1年8月30日(2019.8.30)
【手続補正１】
【補正対象書類名】明細書
【補正対象項目名】全文
【補正方法】変更
【補正の内容】
【発明の詳細な説明】
【技術分野】
【０００１】
本発明は、和装服に係り、特に、着物と同様の外観を有し、容易かつ迅速に着脱することができる和装服に関する。
【背景技術】
【０００２】
着物は男女を問わず広く日本人に愛されているが、特に、女性用の着物は、着付ける際に、多くの作業、作法が必要となり非常に煩雑であった。
【０００３】
即ち、着物を着付ける場合には、先ず、着物本体を決められた手順に従って着込み、上前身頃部及び下前身頃部を重ね合わせた状態で衿を適切に整えると共に御端折りを整え、胸紐で押さえた後、さらに伊達締めを装着する。この場合、衿元の押さえ方、胸紐の取り方、御端折りの形成の仕方が非常に煩雑であり、一人で着付けるためには多くの訓練を要していた。
【０００４】
その後、着物の上から帯を結ぶ必要があるが、このような帯結びを行う場合には、帯本体、腰板、帯枕、帯揚げ、帯押さえ紐等を必要に応じてあらかじめ準備し、先ず、帯本体を前柄の位置を確認しつつ締めていくが、背面側で結び目を形成し、背面側で鏡を見ながら所定の帯結びを形成しなければならず、指導者について所定の訓練を要するものであり非常に煩雑であった。
【０００５】
従って、帯結びを含む着物本体を着付けるためには、全体として６０以上に及ぶ作業工程を経なければならず、当然のことながら、着付け手順、着付け技術を知らない一般人では一人で着付けを行うことが不可能であった。
【０００６】
着物は日本文化の華であり、いつの時代も日本女性のあこがれの的であったが、上記のような着付けの難しさ、煩雑さや、現代生活形態の複雑さ、忙しさから、戦前ほど、日常生活の中で、女性が着物を着付けることが少なくなっている。
【０００７】
近年においては、成人女性の場合、成人式や大学等の卒業式を過ぎると、浴衣を除き、主に冠婚葬祭の折のみに、着付ける場合が多い。このため、着物を着付ける場合には、レンタルして着付け技能を有する専門家に着付けてもらうか、又は、時間に余裕がある場合には、着物の着付けを指導する学校にて講習を受け、自分で練習を行った後に、試行錯誤のうえ、自分の体形にあった着付けを行う技術を習得しなければ独力で着物を着衣することは不可能である。
【０００８】
しかしながら、着物をレンタルする場合であっても、非常に高額な賃料を支払わねばならず、また、着付けを指導する学校へ入学することも、多忙な現代人にとっては、時間的にも費用的にも極めて煩雑であり、着物文化が日常生活から遠ざけられる一因となっていた。
【０００９】
また、戦前より、着物は海外において「ＫＩＭＯＮＯ」として、日本の伝統文化として広く認識されており、外国人にあっても、日本において着物を着衣したい、という要望がある。
【００１０】
特に、近年、日本への海外の旅行者が増え、欧米人のみならず、中国、韓国等の多くのアジア人にあっても、日本において着物を着た状態で日本の町を散策したい、という要望があり、観光地には、多くの「ＫＩＭＯＮＯレンタルショップ」等も存在し、多くの外国人により利用されている。
【００１１】
従って、現在、多くの日本人のみならず、外国人からも、「着物を簡単に着て楽しみたい」という切なる要望がある。
【００１２】
このように、従来より、「着物を簡単に着たい」という要望は多くの女性、人々の切なる要望であった。
【００１３】
このような従来の事情から、着物を容易に着たい、という多くの人々の要請に応えるべく、特許出願による様々な提案がされていた。
【００１４】
特許文献１（特許第３９０２６１５号公報）には、「対丈に形成された長着であって、前身頃部の胴部両脇、脇線から０．５〜１．５ｃｍの位置に、脇線に対して実質的に平行となる７〜１４ｃｍ長のタック部が設けられており、後身頃部の胴部両脇、脇線から１．５〜３．５ｃｍの位置に脇線に対して実質的に平行となる７〜１４ｃｍ長のタック部が設けられていること、下前身頃部の胴部表面と上前身頃部の胴部裏面に、一対のベルベット式ファスナ部が取付けられており、該ベルベット式ファスナ部の係止により、前記長着が身体に適合して着衣できるものであること、および、前記長着の肩山が、衿付け位置から４〜９ｃｍ位置まで裾に実質的に平行であり、その後肩先までダーツが設けられ、肩先部で、衿付け位置より０．８〜２ｃｍ下がった状態となっていることを特徴とする簡易長着。」が開示されている。
【００１５】
しかしながら、特許文献１に開示された簡易長着にあっては、一般の着物と同様の形態に形成され、上前身頃部胴部表面及び下前身頃部胴部裏面に設けられた一対のベルベット式ファスナ部（以下、「面ファスナ部」とも称する）を係止することにより、上前身頃部と下前身頃部を重ね合わせた状態で固定して着衣するように構成されているものであり、胴部における一対の面ファスナ部のみにより前身頃部を固定することから、着衣した状態で着座する場合や、歩行する場合に、前身頃部の重ね合わせがずれ、着崩れする可能性がある、という不具合がある。
【００１６】
また、上前身頃部胴部表面に設けられた一対の両面ファスナ部が外部から視認されるために、着付け品質を確保するとためには、この一対の両面ファスナ部を隠すために、所定の幅寸法を有する帯を装着せざるを得ず、適切に帯を装着するためには、上記のように時間を要し、外観品質を確保した状態で着衣しようとした場合には、全体として着付け作業がなお煩雑である、という不具合がある。
【００１７】
また、特許文献２（特許第５７７１００３号公報）には、「使用者の別にバスト、アンダーバスト、ウエストおよびヒップを含む身体各部から採寸された各曲線情報に基づく曲線を付与して各別に裁断された上身頃部体と下身頃部体とを、御端折りを介在させることなくウエストラインの位置にて立体的に縫い合わせて一体化される対丈着物であって、着衣時の下前表にあって右側縫い線から下前の横幅方向やや中央寄りに入り込んだ位置にある前記ウエストラインの上側にその一端部が固着された第１結び紐と、着衣時の上前裏にあって衽の身幅分だけ上前の横幅方向やや中央寄りに入り込んだ位置にある前記ウエストラインの下側にその一端部が固着された第２結び紐と、着衣時の下前裏にあって右側開放端から下前の横幅方向やや中央寄りに入り込んだ位置にある前記ウエストラインの下側にその一端部が固着された第３結び紐と、着衣時の上前裏にあって左側縫い線から後身頃部の横幅方向やや中央寄りに入り込んだ位置にある前記ウエストラインの上側にその一端部が固着された第４結び紐と、着衣時の下前裏にあって前記右側開放端から下前の横幅方向やや中央寄りに入り込み、かつ、前記下身頃部体の縦長さ方向での中間位置から１２ｃｍ前後上方に位置する部位にその一端部が固着された第５結び紐と、着衣時の上前裏にあって前記左側縫い線に沿った上前側における前記下身頃部体の縦長さ方向での中間位置から１７ｃｍ前後上方に位置する部位にその一端部が固着された第６結び紐とを備え、その着衣時には、前記第３結び紐と前記第４結び紐とを結んで下前を若干せり上がらせ、使用者の膝上位置にて前記第５結び紐と前記第６結び紐とを結んで下前左裾をさらに若干せり上がらせるとともに、前記第１結び紐と前記第２結び紐とを結んで上前右裾を若干せり上がらせるようにして裾周りの仕舞いを整え可能としたことを特徴とする対丈着物。」が開示されている。
【００１８】
しかしながら、上前身頃部及び下前身頃部の裏面側に全体として６本の結び紐を設け、着衣時にはこれら６本の結び紐を互い結束して上前身頃部と下前身頃部の重ね合わせ固定を行うように構成されており、着衣時に結束作業が煩雑であると共に、このような構成の着物を製作する場合には、使用者の体形に応じて６本結び紐の取り付け位置を個別に確定する必要があり、製作作業が煩雑である、という不具合があった。
【００１９】
さらに、特許文献３（特開２０１５−２１８３９６号公報）にあっては、「着物本体と帯からなり、着物本体は、後身頃部に縦方向にスリット状の開口部を設け、衿は該開口部で左右に分かれ、前身頃部の胸位置を重ね留めし、脇にゴムの縫い留め部分を設け、該胸位置に帯を固定する付着部を設けたことを特徴とする着物。」が開示されている。
【００２０】
しかしながら、このような着物にあっては、後身頃部の中央に上下方向に沿って形成された開口部を利用して着衣するが、着衣後に開口部はファスナ部を利用して閉じる必要があり、使用者は背面側のファスナ部を把持することはできないため、使用者以外の他者にファスナ部を引き上げて開口部を閉じてもらう必要があり、一人のみで着衣することは不可能であった。また、別個に帯を装着する必要があることから着物として着衣状態に至るためには煩雑であり、簡易に着衣したい、という要望を充たせるものではなかった。
【先行技術文献】
【特許文献】
【００２１】
【特許文献１】特許第３９０２６１５号公報
【特許文献２】特許第５７７１００３号公報
【特許文献３】特開２０１５−２１８３９６号公報
【発明の概要】
【発明が解決しようとする課題】
【００２２】
そこで、本発明の課題は、より迅速に、簡易に装用することができる和装服を提供することにある。
【課題を解決するための手段】
【００２３】
このような課題達成のため、請求項１記載の発明においては、上身頃部と、前記上身頃部の下端部に設けられた帯部と、前記帯部の下端部に設けられた下身頃部と、前記上身頃部に設けられた一対の袖部と、を備え、前記上身頃部は上部前身頃部と上部後身頃部とを有すると共に、前記下身頃部は下部前身頃部と下部後身頃部とを有し、前記上部前身頃部、前記上部後身頃部、前記下部前身頃部及び前記下部後身頃部は前記帯部の裏面側において、互いに前記帯部に対して縫合固定されており、前記下身頃部の下端部から使用者が被ることを特徴とする。
【００２４】
従って、請求項１記載の和装服にあっては、前記上部前身頃部、前記上部後身頃部、前記下部前身頃部及び前記下部後身頃部は前記帯部の裏面側において互いに縫合固定されており、従来の伝統的な着物及び従来提案されていた改良された着物とは異なり、着衣時に上下の前身頃部を身体の前で合わせる必要がなく、また、合わせた前身頃部の上から帯を装着する必要がない。
【００２５】
請求項２記載の発明にあっては、前記上部前身頃部は、表側上部前身頃部と、前記表側上部前身頃部の裏側で一部が重ね合わされて配置される裏側上部前身頃部と、を有すると共に、前記下部前身頃部は、表側下部前身頃部と、前記表側下部前身頃部の裏側で一部が重ね合わされて配置される裏側下部前身頃部と、を備え、前記表側上部前身頃部及び前記裏側上部前身頃部、並びに、前記表側下部前身頃部及び前記裏側下部前身頃部は、重ね合わされた状態のまま前記帯部の裏面側において縫合固定されていることを特徴とする。
【００２６】
請求項３記載の発明にあっては、前記帯部は、帯状の生地が前記上身頃部の下端部周縁全域に亘って縫合固定されて形成されていることを特徴とする。
【００２７】
請求項４記載の発明にあっては、前記下身頃部は、使用者の胴下半部及び両脚部を正面側から被覆しうる身幅寸法に形成された前記裏側下部前身頃部及び前記裏側下部前身頃部の表面側に重ね合わされて配置される前記表側下部前身頃部、並びに、使用者の胴下半部及び両脚部を背面側から被覆しうる身幅寸法に形成された前記下部後身頃部、により構成され、前記下部後身頃部の両側縁部において前記裏側下部前身頃部の一方の側縁部と前記表側下部前身頃部の一方の側縁部とが上下方向に沿って縫合固定されていることを特徴とする。
【００２８】
従って、請求項４記載の発明にあっては、２枚の下前身頃部が使用者の腰部及び脚部を覆うものである。
【００２９】
請求項５記載の発明にあっては、前記上身頃部の下端部及び前記下身頃部の上端部、の一方側の脇部には、上下方向に沿って前記帯部を跨るように配設されたスリット部が設けられていることを特徴とする。
【００３０】
請求項６記載の発明にあっては、前記スリット部にはファスナ部が設けられ開閉可能に形成されていることを特徴とする。
【００３１】
請求項７記載の発明にあっては、前記ファスナ部は、前記スリット部の全長に跨るスライド式ファスナ部を備えることを特徴とする。
【００３２】
請求項８記載の発明にあっては、前記袖部は、袂部が設けられているとともに、前記上身頃部の左右方向両端部において、前記上部前身頃部及び前記上部後身頃部に夫々縫合固定されており、前記袂部の脇対向部位には上下方向に沿ってファスナ部により開閉可能に形成された開口部を有する収納部が設けられていることを特徴とする。
【００３３】
請求項９記載の発明にあっては、前記上身頃部の前記帯部よりも上方には、上下方向に沿ってタック部が設けられていることを特徴とする。
【００３４】
請求項１０記載の発明にあっては、前記帯部の下端部には、前記下身頃部の上端部の表面側に配置される御端折り部が設けられていることを特徴とする。
【００３５】
請求項１１記載の発明にあっては、前記スリット部のうち前記下身頃部の上端部に対応した部位を開閉するスライドファスナ部であることを特徴とする。
【００３６】
請求項１２記載の発明にあっては、上身頃部と、前記上身頃部の下端部に設けられた帯部と、前記帯部の下端部に設けられた下身頃部と、前記上身頃部に設けられた一対の袖部とを備え、前記上身頃部は上部前身頃部と上部後身頃部とを有すると共に、前記下身頃部は下部前身頃部と下部後身頃部とを有し、前記上部前身頃部、前記上部後身頃部、前記下部前身頃部及び前記下部後身頃部は前記帯部の裏面側において、互いに前記帯部に対して縫合固定されており、前記下身頃部の下端部から使用者が被るように構成され、前記上部前身頃部は、表側上部前身頃部と、前記表側上部前身頃部の裏側で一部が重ね合わされて配置される裏側上部前身頃部と、を有すると共に、前記下部前身頃部は、表側下部前身頃部と、前記表側下部前身頃部の裏側で一部が重ね合わされて配置される裏側下部前身頃部とを備え、前記表側上部前身頃部及び前記裏側上部前身頃部、並びに、前記表側下部前身頃部及び前記裏側下部前身頃部は、重ね合わされた状態のまま前記帯部の裏面側において縫合固定されており、前記上身頃部の下端部及び前記下身頃部の上端部、の一方側の脇部には、上下方向に沿って前記帯部を跨るように配設されたスリット部が設けられ、前記帯部は、前記表側上部前身頃部及び前記裏側上部前身頃部、並びに、前記表側下部前身頃部及び前記裏側下部前身頃部が、裏面側において重ね合わされた状態のまま縫合固定されている固定側帯部と、前記固定側帯部の表面と重なるように、前記スリット部の近傍で一端が前記固定側帯部に支持された背面帯部、及び、使用者の背面側から胴回り方向を周回して前記スリット部を覆ったうえで前記背面帯部の前記一端の表面と係合する係合部を他端の裏面側に備えた正面帯部、を一体に備える自由端側帯部とを備え、前記スリット部にはファスナ部が設けられ開閉可能に形成され、前記ファスナ部は、前記スリット部のうち前記帯部に対応した部位を開閉する雌雄の異なる一対の面ファスナ部と、前記スリット部のうち前記下身頃部の上端部に対応した部位を開閉するスライドファスナ部と、を備えていることを特徴とする。
【００３７】
請求項１３記載の発明にあっては、前記帯部には、使用者の背面側において帯結び部が縫合固定されていることを特徴とする。
【００３８】
請求項１４記載の使用者の身長及び胸囲の数値に基づき複数のサイズを有することを特徴とする。
【００３９】
請求項１５記載の発明にあっては、前記背面帯部の前記一端は、前記スリット部の近傍で前記固定側帯部に縫合支持、若しくは、前記スリット部の近傍の前記固定側帯部の表面に設けた支持側係合部に被支持側係合部が係合支持、されることを特徴とする。
【００４０】
請求項１６記載の発明にあっては、前記帯部は、前記自由端側帯部の帯幅が前記固定側帯部の帯幅よりも広いことを特徴とする。
【発明の効果】
【００４１】
請求項１記載の発明にあっては、上身頃部と、前記上身頃部の下端部に設けられた帯部と、前記帯部の下端部に設けられた下身頃部と、前記上身頃部に設けられた一対の袖部と、を備え、前記上身頃部は上部前身頃部と上部後身頃部とを有すると共に、前記下身頃部は下部前身頃部と下部後身頃部とを有し、前記上部前身頃部、前記上部後身頃部、前記下部前身頃部及び前記下部後身頃部は前記帯部の裏面側において、互いに前記帯部に対して縫合固定されており、前記下身頃部の下端部から使用者が被ることから、従来の伝統的な着物、及び従来提案されていた改良された着物とは異なり、着衣時に上下の前身頃部を身体の前で合わせる必要がなく、また、合わせた前身頃部の上から帯を装着する必要がない。したがって、従来の伝統的な着物の着付けのように、煩雑な着衣作業並びに帯の装着作業を行う必要がなく、下身頃部の下端部から使用者が被るだけの着衣作業で事足りるため、伝統的な着物における、全体として約６０工程に及ぶ着付け作業をほぼ１工程に簡略化することができるため、迅速かつ簡易に着付けることができる。
【００４２】
請求項２記載の発明にあっては、前記上部前身頃部は、表側上部前身頃部と、前記表側上部前身頃部の裏側で一部が重ね合わされて配置される裏側上部前身頃部と、を有すると共に、前記下部前身頃部は、表側下部前身頃部と、前記表側下部前身頃部の裏側で一部が重ね合わされて配置される裏側下部前身頃部と、を備え、前記表側上部前身頃部及び前記裏側上部前身頃部、並びに、前記表側下部前身頃部及び前記裏側下部前身頃部は、重ね合わされた状態のまま前記帯部の裏面側において縫合固定されていることから、和装服を構成するパーツを容易に縫合して仕立てることができ、迅速かつ簡易に着衣できると共に、容易に作成することが可能な和装服を提供することができる。
【００４３】
請求項３記載の発明にあっては、前記帯部は、帯状の生地が前記上身頃部の下端部周縁全域に亘って縫合固定されて形成されていることから、従来のように、使用者は、別途に帯用布材を着物本体の上から身体に巻き付けて帯を形成する作業を行う必要がなく、使用者は和装服を着衣するのみで別途に帯を形成する必要がなく、迅速、簡易に着衣できる。
【００４４】
また、帯状の生地を上身頃部及び下身頃部に縫合固定するのみで帯相当部分を形成することができ、製作作業も容易である。
【００４５】
請求項４記載の発明にあっては、前記下身頃部は、使用者の胴下半部及び両脚部を正面側から被覆しうる身幅寸法に形成された前記裏側下部前身頃部及び前記裏側下部前身頃部の表面側に重ね合わされて配置される前記表側下部前身頃部、並びに、使用者の胴下半部及び両脚部を背面側から被覆しうる身幅寸法に形成された前記下部後身頃部、により構成され、前記下部後身頃部の両側縁部において前記裏側下部前身頃部の一方の側縁部と前記表側下部前身頃部の一方の側縁部とが上下方向に沿って縫合固定されていることから、下身頃部は、着物のような重ね合わせの前開きを可能としたまま洋服のスカートのように構成されており、作成が容易な和装服を提供することができる。
【００４６】
請求項５記載の発明にあっては、前記上身頃部の下端部及び前記下身頃部の上端部、の一方側の脇部には、上下方向に沿って前記帯部を跨るように配設されたスリット部が設けられており、請求項６記載の発明にあっては、前記スリット部にはファスナ部が設けられ開閉可能に形成されていることから、和装服の着衣時にはファスナ部を下げてスリット部を開放しておき、上身頃部及び下身頃部の生地の張りに余裕がある状態で、下身頃部の下端部側から被るように身体を通し、着衣後にはファスナ部を閉止して上身頃部及び下身頃部を本来の形に形成して着付けを完了する。また、和装服の脱衣時には、ファスナ部を下げて上身頃部及び下身頃部の生地に余裕を持たせた状態で脱ぐことができる。したがって、請求項１記載の発明の効果に加えて、より容易かつ迅速な着衣並びに脱衣作業が可能となる。
【００４７】
請求項７記載の発明にあっては、前記ファスナ部は、前記スリット部の全長に跨るスライド式ファスナ部を備えることから、使用者は一連の操作でスリット部を開閉することができる。
【００４８】
請求項８記載の発明にあっては、前記袖部は、袂部が設けられているとともに、前記上身頃部の左右方向両端部において、前記上部前身頃部及び前記上部後身頃部に夫々縫合固定されており、前記袂部の脇対向部位には上下方向に沿ってファスナ部により開閉可能に形成された開口部を有する収納部が設けられていることから、使用者は着衣時には、収納部に身の回りの携帯用小物を適宜収納して、ファスナ部によりスリット部を閉止して、収納物の落下を防止した状態で持ち歩くことができる。
【００４９】
従って、伝統的な着物や、改良された従来の着物とは異なり、身の回りの小物の収納性、携帯性に富んだ和装服を提供することができる。
【００５０】
請求項９記載の発明にあっては、前記上身頃部の前記帯部よりも上方には、上下方向に沿ってタック部が設けられていることから、洋服の場合と同様に、立体的なシルエットを形成することができ、ゆとりのある着心地を提供できると共に、使用者の身体が各種の立ち居振る舞い、日常の運動作業を行う場合にも、生地が張ってしまい身体の動きが規制されることがなく、余裕をもって作業することができる和装服を提供することができる。
【００５１】
請求項１０記載の発明にあっては、前記帯部の下端部には、前記下身頃部の上端部の表面側に配置される御端折り部が設けられていることから、従来の伝統的な着物と同様の外観品質を提供することができ、使用者は違和感なく着衣することができる。
【００５２】
請求項１１記載の発明にあっては、前記ファスナ部は、前記スリット部のうち前記下身頃部の上端部に対応した部位を開閉するスライドファスナ部であることから、帯部に対応する使用者の胴回りは、面ファスナ部の胴回り方向に沿う係合位置を調整することにより締め付け力を調整することができる。
【００５３】
請求項１２記載の発明にあっては、上身頃部と、前記上身頃部の下端部に設けられた帯部と、前記帯部の下端部に設けられた下身頃部と、前記上身頃部に設けられた一対の袖部とを備え、前記上身頃部は上部前身頃部と上部後身頃部とを有すると共に、前記下身頃部は下部前身頃部と下部後身頃部とを有し、前記上部前身頃部、前記上部後身頃部、前記下部前身頃部及び前記下部後身頃部は前記帯部の裏面側において、互いに前記帯部に対して縫合固定されており、前記下身頃部の下端部から使用者が被るように構成され、前記上部前身頃部は、表側上部前身頃部と、前記表側上部前身頃部の裏側で一部が重ね合わされて配置される裏側上部前身頃部と、を有すると共に、前記下部前身頃部は、表側下部前身頃部と、前記表側下部前身頃部の裏側で一部が重ね合わされて配置される裏側下部前身頃部とを備え、前記表側上部前身頃部及び前記裏側上部前身頃部、並びに、前記表側下部前身頃部及び前記裏側下部前身頃部は、重ね合わされた状態のまま前記帯部の裏面側において縫合固定されており、前記上身頃部の下端部及び前記下身頃部の上端部、の一方側の脇部には、上下方向に沿って前記帯部を跨るように配設されたスリット部が設けられ、前記帯部は、前記表側上部前身頃部及び前記裏側上部前身頃部、並びに、前記表側下部前身頃部及び前記裏側下部前身頃部が、裏面側において重ね合わされた状態のまま縫合固定されている固定側帯部と、前記固定側帯部の表面と重なるように、前記スリット部の近傍で一端が前記固定側帯部に支持された背面帯部、及び、使用者の背面側から胴回り方向を周回して前記スリット部を覆ったうえで前記背面帯部の前記一端の表面と係合する係合部を他端の裏面側に備えた正面帯部、を一体に備える自由端側帯部とを備え、前記スリット部にはファスナ部が設けられ開閉可能に形成され、前記ファスナ部は、前記スリット部のうち前記帯部に対応した部位を開閉する雌雄の異なる一対の面ファスナ部と、前記スリット部のうち前記下身頃部の上端部に対応した部位を開閉するスライドファスナ部と、を備えていることから、帯部に見かけ上の立体感を具備させることができるとともに、固定側帯部の縫い目を覆い隠すことができ、より一層着物を着付けたような風合いを確保することができる。
【００５４】
請求項１３記載の発明にあっては、前記帯部には、使用者の背面側において帯結び部が縫合固定されていることから、従来の伝統的な着物や、従来の改良された着物とは異なり、別途に帯を装着する必要がない。また、その帯の装着にあたって、面倒な帯結び部を形成する必要がないことから、従来、非常に煩雑であった帯結び部の形成作業が不要となるため、迅速かつ容易な装用が可能となる和装服を提供することができる。
【００５５】
請求項１４記載の発明にあっては、使用者の身長及び胸囲の数値に基づき複数のサイズを有することから、洋服と同様の概念で、使用者の体形、身体の大きさに合わせて複数種類のサイズの和装服を準備しておくことにより、使用者に最適な大きさの和装服を迅速かつ容易に着衣してもらうことが可能となる。
【００５６】
請求項１５記載の発明にあっては、前記背面帯部の前記一端は、前記スリット部の近傍で前記固定側帯部に縫合支持、若しくは、前記スリット部の近傍の前記固定側帯部の表面に設けた支持側係合部に被支持側係合部が係合支持、されることにより、用途に応じて自由端側帯部を縫合又は係合により支持することができる。
【００５７】
請求項１６記載の発明にあっては、前記帯部は、前記自由端側帯部の帯幅が前記固定側帯部の帯幅よりも広いことにより、使用者の座高の高低に応じて帯による締め付け位置を調整することができる。
【図面の簡単な説明】
【００５８】
【図１】本発明に係る和装服の一実施の形態を示し、（Ａ）は和装服の正面図、（Ｂ）は和装服の背面図である。
【図２】本発明に係る和装服の一実施の形態を示し、各パーツを布単位で分離した展開図である。
【図３】本発明に係る和装服の一実施の形態におけるファスナ部の周辺構造を示す説明図である。
【図４】本発明に係る和装服の一実施の形態における帯部を含むスリット部を開閉するファスナ部の周辺構造を示し、（Ａ）はファスナ開放状態の説明図、（Ｂ）はファスナ封止状態の説明図である。
【図５】本発明に係る和装服の一実施の形態における袖部のファスナ部の周辺構造を示し、（Ａ）はファスナ開放状態の説明図、（Ｂ）はファスナ封止状態の説明図である。説明図である。
【図６】本発明に係る和装服の一実施の形態を示し、日米で異なるサイズの一覧の図表である。
【図７】本発明に係る和装服の他の一実施の形態を示し、（Ａ）は和装服の正面図、（Ｂ）は和装服の背面図である。
【図８】本発明に係る和装服の他の一実施の形態を示し、各パーツを布単位で分離した展開図である。
【図９】本発明に係る和装服の他の一実施の形態におけるファスナ部の周辺構造を示す説明図である。
【図１０】本本発明に係る和装服の他の一実施の形態における帯部を含むスリット部を開閉するファスナ部の周辺構造を示し、（Ａ）はファスナ開放状態の説明図、（Ｂ）はファスナ封止状態の説明図である。
【図１１】本発明に係る和装服の他の一実施の形態の変形例を示し、各パーツを布単位で分離した展開図である。
【図１２】本発明に係る和装服の他の一実施の形態の変形例を示し、（Ａ）は固定側帯部を下方寄りとした場合、（Ｂ）は固定側帯部を上方寄りとした場合、の説明図である。
【発明を実施するための形態】
【００５９】
次に、本発明に係る一実施の形態について図面を参照して説明する。なお、以下の説明においては、説明の便宜上、着物の各部位等の正式名称或いは一般名称とは別の名称等で呼称する場合がある。また、使用される生地の種類（例えば、縮緬）や色・柄等は任意である。
【００６０】
（実施の形態１）
図１に示すように、実施の形態１に係る和装服１は、上身頃部１０と、上身頃部１０の下端部に設けられた帯部２０と、帯部２０の下端部に設けられた下身頃部３０と、上身頃部１０の外側部に設けられた一対の袖部４０と、を備える。
【００６１】
上身頃部１０は、上部前身頃部１１と上部後身頃部１２とを有する。上身頃部１０は、図２に示すように、使用者の左右で回転対称の生地１３，１４を用い、この生地１３，１４のうち、折れ線Ｐ１を境界として図示上側の上部後身頃部１２に対応する部位１３ａ，１４ａの人体中心側縁部１３ｂ，１４ｂを縫合固定することによって構成される。したがって、上身頃部１０は、生地１３，１４を折れ線Ｐ１で折り返すことにより使用者の正面側と背面側とに分かれ、上部前身頃部１１と上部後身頃部１２となる。なお、図１（Ｂ）における符号Ｎ１はその縫合筋である。これにより、生地１３，１４のうち、折れ線Ｐ１を境界として図示下側の上部前身頃部１１に対応する部位１３ｃ，１４ｃは、使用者の右手側に配置される表側上部前身頃部１５と、表側上部前身頃部１５の裏側で一部が重ね合わされた状態で使用者の左手側に配置される裏側上部前身頃部１６となる。さらに、生地１３，１４の上部後身頃部１２に対応する部位１３ａ，１４ａの上縁部１３ｄ，１４ｄから生地１３，１４の上部前身頃部１１に対応する部位１３ｃ，１４ｃの傾斜縁部１３ｅ，１４ｅにかけて連続する縁部分には、図１に示すように、衿部１７が設けられている。
【００６２】
衿部１７は、図２に示すように、略長方形（両端部の形状は任意）の帯状の生地１８を長手方向に沿う折れ線Ｐ２で半折りしたものを上縁部１３ｄ，１４ｄから傾斜縁部１３ｅ，１４ｅに沿って縫合固定したものである。したがって、折れ線Ｐ１は、衿部１７の衿幅と奥襟を考慮した分だけ上縁部１３ｄ，１４ｄから部位１３ｃ，１４ｃに寄った位置となる。なお、折れ線Ｐ３は上縁部１３ｄ，１４ｄから傾斜縁部１３ｅ，１４ｅに至る屈曲部分である。さらに、衿部１７の内側には、図１に示すように、生地１８とは異なる色や種類の飾り衿部１７Ａが設けられている。
【００６３】
なお、図２の展開状態は、図１（Ａ）に示す使用者の正面側を基準として示し、使用者の左手側及び右手側と左右方向（図２の紙面では逆方向）とが一致している。また、図２に示した各生地１３，１４，１８は、図１（Ａ）に示した状態を単純に展開して示しており、具体的な形状や大きさ（比率を含む）を限定的に示すものではなく、例えば、必要に応じて縫い代等が設けられる。
【００６４】
図１に示すように、衿部１７を含む上部前身頃部１１及び上部後身頃部１２は、一部が前後で重ね合わされた状態のまま帯部２０の裏面側において、縫合固定されている。
【００６５】
なお、上身頃部１０は、例えば、表側上部前身頃部１５及び裏側上部前身頃部１６の適宜位置に一つ以上のタック部１９が設けられている。タック部１９は、帯部２０の上方において正面側の左右に対で設けられており、その下端は帯部２０の上縁部分で収束している。
【００６６】
このように、上身頃部１０の帯部２０よりも上方には、上下方向に沿ってタック部１９が設けられていることから、洋服の場合と同様に、使用者のウエスト部分からバスト部分へと向かう周り方向の拡径に伴う立体的なシルエットを形成することができ、ゆとりのある着心地を提供できると共に、使用者の身体が各種の立ち居振る舞い、日常の運動作業を行う場合にも、生地が張ってしまい身体の動きが規制されることがなく、余裕をもって動作をすることができる和装服１を提供することができる。
【００６７】
帯部２０は、図３に示すように、使用者の正面側を被覆しうる長さ寸法に形成された前帯部２１と、使用者の背面側を被覆しうる長さ寸法に形成された後帯部２２と、前帯部２１及び後帯部２２の各裏面側に位置する前側裏地部２３及び後側裏地部２４と、で使用者の左手側の背面から右手側の脇腹を経由して再び左手側の正面に回り込むように構成されている。また、後帯部２２には、所定の帯結びとされた（図示例は半巾帯で文庫結び）帯結び部２５が縫合固定されている。なお、前帯部２１及び後帯部２２、並びに、前側裏地部２３及び後側裏地部２４は、それぞれ使用者の正面側と背面側とで分割されていてもよい。なお、この帯に関する「長さ」は、一般的な帯における呼称として用いられる帯幅の方向に直交する方向の「長さ」である。
【００６８】
なお、前帯部２１と後帯部２２とは、一般的な絹製の帯と同様に生地が伸縮性を備えていないことから、使用者の胴部を基準とする胴巻きの機能を備えている。したがって、前帯部２１と後帯部２２、及び、前側裏地部２３と後側裏地部２４とは、例えば、使用者の前後で分割せずに、例えば、使用者の右手側を一体とした１枚物として構成してもよい。
【００６９】
帯部２０は、前帯部２１及び後帯部２２の上端部２１ａ，２２ａが、上部後身頃部１２の下端部１２ａ、表側上部前身頃部１５の下端部１５ａ及び裏側上部前身頃部１６の下端部１６ａと、前側裏地部２３及び後側裏地部２４と共に縫製Ｓ１，Ｓ２によって縫合固定されている。
【００７０】
前側裏地部２３及び後側裏地部２４は、図２に示すように、和装服１と同一、すなわち上述した上身頃部１０と同一でありかつ前側裏地部２３と後側裏地部２４とが連続する１枚の生地２８を用い、その長さ方向の中央部分の折れ線Ｐ４が使用者の右脇腹に位置する前後の境界として前帯部２１及び後帯部２２と略同一の大きさと形状からなっている。
【００７１】
帯結び部２５は、後帯部２２の上縁に沿って縫製Ｓ３により縫合固定されている。また、帯結び部２５には、市販の帯締め２６の中央が固定されており、前面結部２７で予め結ばれている。
【００７２】
したがって、帯部２０には、使用者の背面側である後帯部２２において帯結び部２５が縫合固定されていることから、従来の伝統的な着物や、従来の改良された着物とは異なり、別途に帯を装着する必要はなく、また、その伝統的な着物用の帯の装着に当たって、面倒な帯結びを形成する必要がないことから、従来、非常に煩雑であった帯結びの形成作業が不要となるため、迅速かつ容易な装用が可能となる和装服１を提供することができる。
【００７３】
このように、帯部２０は帯状の生地（前帯部２１，後帯部２２）が上身頃部１０の下端部１２ａ，１５ａ，１６ａの縁部全域に亘って縫合固定されている。したがって、使用者は、従来の着物を着付ける場合のように、別途に帯を着物本体の上から身体に巻き付けて帯を形成する作業を行う必要がなく、あらかじめ帯状の生地が上身頃部１０と一体に縫合固定されていることから、使用者は和装服１を着衣するのみで別途に帯を形成する必要がなく、迅速、簡易に着衣できる。
【００７４】
また、帯状の生地（前帯部２１，後帯部２２）を上身頃部１０及び下身頃部３０に縫合固定するのみで帯相当部分を形成することができることから、製作作業も容易である。
【００７５】
なお、図２に示した、生地２８は、具体的な形状や大きさを示すものではなく、例えば、必要に応じて縫い代等が設けられる。さらに、前帯部２１、後帯部２２、帯結び部２５は、例えば、市販の帯地を用いることができる。
【００７６】
市販の帯地は、袋帯で帯幅は８寸（約３０ｃｍ）、長さは１丈１尺〜１丈２尺（約４２０ｃｍ）、半幅帯は袋帯の半分の帯幅で４寸（約１５ｃｍ）、長さは８尺５寸（約３２２ｃｍ〜３５０ｃｍ）である。なお、この帯に関する「幅」は、上述したように一般的な帯における呼称として用いられる帯幅の方向に一致する「幅」であることを意味し、他の生地等における使用者の人体の身幅、すなわち、左右方向に一致する「幅」とは異なっている。
【００７７】
そして、これらの市販の帯地を用い、前帯部２１、後帯部２２、帯結び部２５に用いるように分断し、帯結び部２５を結ったうえで後帯部２２に後縫いで縫合固定することができる。したがって、市販の帯地の柄に応じて、結った際の柄合わせを容易に行うことができる。
【００７８】
一方、帯部２０の下方には御端折り部５０が設けられている。御端折り部５０は、前帯部２１の下方に位置する前側御端折り部５１と、後帯部２２の下方に位置する後側御端折り部５２とを備える。
【００７９】
前側御端折り部５１と後側御端折り部５２とは、図２に示すように、下身頃部３０の生地と同じ生地５３，５４から構成されており、長手方向に延びる折れ線Ｐ５を折れ線として折り返えされる。
【００８０】
したがって、帯部２０の下端部には、下身頃部３０の上端部の表面側に配置される御端折り部５０（前側御端折り部５１、後側御端折り部５２）が設けられていることから、従来の伝統的な着物と同様の外観品質を提供することができ、使用者は違和感なく着衣することができる。
【００８１】
なお、図２に示した、生地５３，５４は、具体的な形状や大きさを示すものではなく、例えば、必要に応じて縫い代等が設けられる。
【００８２】
下身頃部３０は、下部前身頃部３１と下部後身頃部３２とを有する。
【００８３】
下部前身頃部３１は、使用者の胴下半部及び両脚部を正面側から被覆しうる身幅寸法に形成された裏側下部前身頃部３３と、裏側下部前身頃部３３の表面側に裏側下部前身頃部３３と略一致する身幅寸法で重ね合わされて配置される表側下部前身頃部３４とを備える。
【００８４】
下部後身頃部３２は、使用者の胴下半部及び両脚部を正面側から被覆しうる身幅寸法に形成されている。
【００８５】
下部後身頃部３２、裏側下部前身頃部３３及び表側下部前身頃部３４は、図２に示すように、使用者の胴下半部及び両脚部を背面側から被覆しうる身幅寸法に形成された３つの生地３５，３６，３７により構成される。なお、以下の説明において、生地３５，３６，３７における「左右」は図１に示した和装服１として仕立てた状態を基準に、使用者の右手側を「右」、使用者の左手側を「左」として定義する。
【００８６】
３つの生地３５，３６，３７は、図示中央に位置して下部後身頃部３２に対応する生地３５の右側縁部３５ａと、裏側下部前身頃部３３に対応する生地３６の右側縁部３６ａと、が互いに縫合固定される。同様に、図示中央に位置して下部後身頃部３２に対応する生地３５の左側縁部３５ｂと、表側下部前身頃部３４に対応する生地３７の左側縁部３７ａと、が互いに縫合固定される。
【００８７】
これにより、生地３６，３７は、表裏で重ね合わされるように巻かれた状態、すなわち、図３に示すように、裏側下部前身頃部３３及び表側下部前身頃部３４として重ね合わされた状態で、下部後身頃部３２、裏側下部前身頃部３３及び表側下部前身頃部３４の各上端部３２ａ，３３ａ，３４ａが前帯部２１及び後帯部２２の各下端部２１ｂ，２２ｂの裏面側において縫製Ｓ４，Ｓ５によって前側御端折り部５１及び後側御端折り部５２と一緒に縫合固定されている。
【００８８】
このように、下身頃部３０は、裏側下部前身頃部３３及び表側下部前身頃部３４が重ね合わされた状態のまま帯部２０の裏面側において縫合固定されていることから、和装服１を構成するパーツ（生地３５，３６，３７）を容易に縫合して仕立てることができ、迅速かつ簡易に着衣できると共に、容易に作成することが可能な和装服１を提供することができる。
【００８９】
また、御端折り部５０は、独立して帯部２０に縫合固定されるため、帯部２０の下方における身丈方向の高さを一定に保つことができ、しかも、従来の着物の場合のように、下身頃部３０と連続した状態ではないため、着崩れの要因となることもない。
【００９０】
なお、図２に示した、生地３５，３６，３７は、具体的な形状や大きさを示すものではなく、例えば、必要に応じて縫い代やつま先部３６ｂ，３７ｂ等が設けられる。
【００９１】
このように、下身頃部３０は、使用者の胴下半部及び両脚部を正面側から被覆しうる身幅寸法に形成された裏側下部前身頃部３３及び裏側下部前身頃部３３の表面側に裏側下部前身頃部３３と一致する身幅寸法で重ね合わされて配置される表側下部前身頃部３４、並びに、使用者の胴下半部及び両脚部を背面側から被覆しうる身幅寸法に形成された下部後身頃部３２、により構成され、下部後身頃部３２の両側縁部（生地３５の左側縁部３５ａ，３５ｂ）において裏側下部前身頃部３３の一方の側縁部（生地３６の右側縁部３６ａ）と表側下部前身頃部３４の一方の側縁部（生地３７の左側縁部３７ａ）とが上下方向に沿って縫合固定されていることから、下身頃部３０は、着物のような重ね合わせの前開きを可能としたまま洋服のスカートのように構成されており、作成が容易な和装服１を提供することができる。
【００９２】
このように、上身頃部１０の上部前身頃部１１は、表側上部前身頃部１５と、表側上部前身頃部１５の裏側で一部が重ね合わされて配置される裏側上部前身頃部１６とを有すると共に、下身頃部３０の下部前身頃部３１は、表側下部前身頃部３４と、表側下部前身頃部３４の裏側で少なくとも一部が重ね合わされて配置される裏側下部前身頃部３３と、を備え、上身頃部１０の上部後身頃部１２、表側上部前身頃部１５及び裏側上部前身頃部１６、並びに、表側下部前身頃部３４及び裏側下部前身頃部３３は、重ね合わされた状態のまま帯部２０の裏面側において縫合固定されていることから、和装服１を構成するパーツ（生地３５，３６，３７）を容易に縫合して仕立てることができ、迅速かつ簡易に着衣できると共に、容易に作成することが可能な和装服１を提供することができる。
【００９３】
袖部４０は、上身頃部１０の左右に位置する右袖部４１と左袖部４２とを備えている。右袖部４１及び左袖部４２は、使用者の左右で回転対称の生地４３，４４を用い、この生地４３，４４を図示二点鎖線で示す折れ線Ｐ６で折り返すことにより使用者の正面側に位置する前面袖部４３ａ，４４ａと使用者の背面側に位置する背面袖部４３ｂ，４４ｂとを構成する。
【００９４】
なお、袖部４０の長さは、図１に示す右袂部４５と左袂部４６の長さに応じて、図２に示す紙面上下方向の長さが規定される。また、左袂部４６の内部には、袋状の収納部４７が設けられている。
【００９５】
これにより、袖部４０は、下部に右袂部４５と左袂部４６とが設けられているとともに、上身頃部１０の左右方向両端部及び各袂部４５，４６を除く内側の上縁部において、使用者の腕が通るように前身頃部１１及び後身頃部１２に夫々縫合固定される。
【００９６】
次に、図２に示した展開状態の各生地１３，１４，１８，２８，３５，３６，３７，４３，４４，５３，５４の縫合結合状態を説明する。なお、図２に示した状態は、紙面では裏生地側が見えているものとする。
【００９７】
上述した各生地１３，１４，１８，２８，３５，３６，３７，５３，５４において、使用者の左右方向に延びる縁部分は、帯部２０に対して縫製Ｓ１，Ｓ２，Ｓ４，Ｓ５で縫合固定されている。
【００９８】
これに対し、生地１３と生地４３、並びに、生地１４と生地４４とは、折れ線Ｐ１及び折れ線Ｐ６でそれぞれ折り返されて使用者の正面側と背面側とに位置する状態において、生地１３の人体外側縁部１３ｆの折れ線Ｐ１を境界とする略上側半分と、生地４３の人体内側縁部４３ｃの折れ線Ｐ６を境界とする略上半分と、が袖入口（図示せず）を構成するように縫合結合される。同様に、生地１４の人体外側縁部１４ｆの折れ線Ｐ１を境界とする略上側半分と、生地４４の人体内側縁部４４ｃの折れ線Ｐ６を境界とする略上半分と、が袖入口（図示せず）を構成するように縫合結合される。
【００９９】
一方、生地１３の人体外側縁部１３ｆの折れ線Ｐ１を境界とする残りの略下側半分が互いに縫合結合される。
【０１００】
また、生地４３の人体内側縁部４３ｃの折れ線Ｐ６を境界とする略下半分を含む残りの縁部全周のうち、使用者の手が通る右袖出口４１ａに対応する部分を除く縁部が互いに縫合結合されて袋状に構成される。
【０１０１】
他方、生地１４の人体外側縁部１４ｆの折れ線Ｐ１を境界とする略下側半分は、生地１４と生地４４との縫合結合部分の直下の所定範囲（例えば、２〜５ｃｍ）のみが縫合結合され、残りの下部は縫合されない非縫合構造部分となっている。
【０１０２】
また、生地４４の人体内側縁部４４ｃの折れ線Ｐ６を境界とする略下半分を含む残りの縁部全周のうち、使用者の手が通る左袖出口４２ａに対応する部分、及び、収納部４７を構成する袋状生地４８の開口部４８ａに対応する部分、を除く縁部が互いに縫合結合されて袋状に構成される。なお、開口部４８ａは、生地４４の人体内側縁部４４ｃの折れ線Ｐ６を境界とする略下半分と対応する部分において、前後で互いに縫合結合される。したがって、開口部４８ａは収納部４７の開口部４７ａ（後述する図５参照）として機能する。
【０１０３】
生地２８は、使用者の肥大側背面から左側正面に回り込むことでそれぞれ使用者の背面側及び正面側の各左手側において両方の縁部２８ａ，２８ｂが縫合されない非縫合構造部分となっている。これにより、この非縫合構造部分は上述した生地１４の非縫合構造部分と連続する。
【０１０４】
さらに、生地３５と生地３６とは、右側縁部３５ａと右側縁部３６ａとが上下方向の全体に跨って縫合結合される。これに対し、生地３６と生地３７とは、左側縁部３５ｂと左側縁部３７ａとが、使用者の高さ方向の上縁から下方に向かう所定範囲（例えば、１２〜２０ｃｍ）は縫合されない非縫合構造部分となっており、残りの縁部が互いに縫合結合されている。
【０１０５】
したがって、図１（Ａ）に示すように、使用者の左手側の身丈方向に沿う高さについて、高さＨ１の範囲は生地１４と生地４４との縫合結合範囲となる。また、高さＨ２の範囲は生地１４の使用者の正面側と背面側との縫合結合範囲（例えば、２〜５ｃｍ）となる。高さＨ３の範囲は、生地１４の非縫合構造部分、生地２８の両方の縁部２８ａ，２８ｂの非縫合構造部分、生地３６の左側縁部３５ｂと生地３７の左側縁部３７ａとの非縫合構造部分（例えば、１２〜２０ｃｍ）、が一連に連続し、図４（Ａ）に示すように、スリット部Ｗ１となる範囲となる。高さＨ４は、生地３６の左側縁部３５ｂと生地３７の左側縁部３７ａとのに縫合結合範囲となる。
【０１０６】
一方、図３に示すように、上身頃部１０及び下身頃部３０の使用者の左側の脇部には、上下方向に沿って帯部２０を跨るように配設された、高さＨ３の範囲における非縫合構造部分（スリット部Ｗ１）には、ファスナ部Ｆ１が設けられている。
【０１０７】
ファスナ部Ｆ１には、例えば、図２に示すように、周知のスライドファスナ３８が用いられている。したがって、使用者の左側の脇部は、人体外側縁部１４ｆの下部付近は非縫合結合とされてスライド式ファスナ３８の一部（上端部）が設けられ、縁部２８ａと縁部２８ｂとは非縫合結合とされてスライド式ファスナ３８の一部（中央部）が設けられ、左側縁部３５ｂと左側縁部３７ａとの上部付近は非縫合結合とされてスライド式ファスナ３８の一部（下端部）が設けられ、これら一連のスライド式ファスナ３８によって構成されたファスナ部Ｆ１によってスリット部Ｗ１が開閉可能とされている。これにより、図４（Ａ）に示すように、和装服１の着衣時にはファスナ部Ｆ１を下げて開放しておき、上身頃部１０及び下身頃部３０の生地の張りに余裕がある状態で、下身頃部３０の下端部側から被るように身体を通す。一方、着衣後には、図４（Ｂ）に示すように、ファスナ部Ｆ１を閉止して上身頃部１０及び下身頃部３０を本来の形に形成して着付けを完了する。また、和装服１の脱衣時には、ファスナ部Ｆ１を下げて上身頃部１０及び下身頃部３０の生地に余裕を持たせた状態で脱ぐことができる。従って、より一層、容易かつ迅速な着衣並びに脱衣作業が可能となる。
【０１０８】
また、袖部４０は、下部に右袂部４５と左袂部４６とが設けられているとともに、上身頃部１０の左右方向両端部及び右袂部４５と左袂部４６とを除く内側の上縁部において、使用者の腕が通るように上部前身頃部１１と上部後身頃部１２とに夫々縫合固定されており、図５に示すように、左袂部４６の脇対向部位には上下方向に沿ってファスナ部Ｆ２により開閉可能に形成された開口部４７ａを有する収納部４７が設けられている。ファスナ部Ｆ２には、例えば、図２に示すように、周知のスライドファスナ４９が用いられている。したがって、使用者は着衣時には、図５（Ａ）に示すように、ファスナ部Ｆ２により開口部４７ａを開放して、収納部４７に身の回りの携帯用小物を適宜収納することができる。そして、図５（Ｂ）に示すように、ファスナ部Ｆ２により開口部４７ａを閉止して、収納物の落下を防止した状態で持ち歩くことができる。
【０１０９】
従って、伝統的な着物や、改良された従来の着物とは異なり、身の回りの小物の収納性、携帯性に富んだ和装服１を提供することができる。
【０１１０】
このように、和装服１は、上身頃部１０と、上身頃部１０の下端部に設けられた帯部２０と、帯部２０の下端部に設けられた下身頃部３０と、上身頃部１０の外側部に設けられた一対の袖部４０と、を備え、上身頃部１０は上部前身頃部１１と上部後身頃部１２とを有すると共に、下身頃部３０は下部前身頃部３１と下部後身頃部３２と、を有し、上部前身頃部１１、上部後身頃部１２、下部前身頃部３１及び下部後身頃部３２は帯部２０の裏面側において互いに縫合固定されており、下身頃部３０の下端部から使用者が被るだけの着衣作業で事足りることから、従来の伝統的な着物、及び従来提案されていた改良された着物とは異なり、着衣時に上下の前身頃部を身体の前で合わせる必要がなく、また、合わせた前身頃部の上から帯を装着する必要がないことから、従来の伝統的な着物の着付けのように、煩雑な着衣作業や帯の装着作業を行う必要がなく、下身頃部３０の下端部から使用者が被るだけの着衣作業で事足りるように構成されていることから、伝統的な着物における、全体として約６０工程に及ぶ着付け作業をほぼ１工程に簡略化することができるため、迅速かつ簡易に着付けることができる。
【０１１１】
この際、上身頃部１０及び下身頃部３０の脇部には、上下方向に沿って帯部２０を跨るように配設された非縫合構造のスリット部Ｗ１をファスナ部Ｆ１で開閉可能に形成することにより、和装服１の着衣時にはファスナ部Ｆ１を下げてスリット部Ｗ１を開放しておき、上身頃部１０及び下身頃部３０の生地の張りに余裕がある状態で、下身頃部３０の下端部側から被るように身体を通し、着衣後にはファスナ部Ｆ１を閉止して上身頃部１０及び下身頃部３０を本来の形に形成して着付けを完了する。また、和装服１の脱衣時には、ファスナ部Ｆ１を下げて上身頃部１０及び下身頃部３０の生地に余裕を持たせた状態で脱ぐことができる。従って、より一層、容易かつ迅速な着衣並びに脱衣作業が可能となる。
【０１１２】
なお、このような構成の和装服１は、図６に示すように、使用者の身長及び胸囲の数値に基づき複数のサイズを用意することができる。この際、例えば、小柄とされる日本人を基準とするサイズと、例えば、大柄とされるアメリカ等を基準とする外国人用のサイズとを用意するのが好ましい。これにより、洋服と同様の概念で、使用者の体形、身体の大きさに合わせて複数種類のサイズの和装服１を準備しておくことにより、使用者に最適な大きさの和装服１を迅速かつ容易に着衣してもらうことが可能となる。
【０１１３】
ところで、図２に示すように、表側上部前身頃部１５を構成する生地１３の下縁部及び裏側上部前身頃部１６を構成する生地１４の下縁部は、使用者の左右脇腹に向かう程に緩やかに丈が短くなっており、前帯部２１の上端部２１ａを裏面側で重ね合わされて縫合結合するための重ね部分１３ｇ，１４ｇが設けられている。
【０１１４】
そして、この重ね部分１３ｇ，１４ｇのうちの斜線で示す範囲を手繰り寄せるようにして縫製Ｓ２で縫合結合することにより、タック部１９が形成される。なお、重ね部分１３ｇ，１４ｇは、和装服１のサイズに応じた数だけ設けられる（図では２タック分）。
【０１１５】
また、重ね部分１３ｇ，１４ｇのうちの斜線で示す範囲を手繰り寄せた状態で前帯部２１の上端部２１ａと縫合結合することにより、生地１３の下縁部及び生地１４の下縁部が使用者の左右脇腹に向かう程に緩やかに丈が短くなっていることと相俟って、表側上部前身頃部１５及び裏側上部前身頃部１６に対して前帯部２１が斜めになることなく、見掛け上の水平状態での縫合結合を可能とすることができる。
【０１１６】
（実施の形態２）
図７〜図１０は、実施の形態２（他の一実施の形態）に係る和装服２を示す。なお、この実施の形態２において、上記実施の形態１と同一もしくは実質的に同一の構成には、同一の符号を付して個々の具体的な説明は省略し、大略の構成と実施の形態１との相違部分を主として説明する。なお、袖部４０は、実施の形態１と同一である。
【０１１７】
この実施の形態２において、上記実施の形態１と大きく異なる点は、以下に示す３点である。
【０１１８】
１点目として、通常の着物にあっては、反物を所定の形状に切断して縫い合わせることにより作製されている。ここで、着物用の反物は、旧式の９寸５分（約３６ｃｍ）では身長が１６３ｃｍ程度の女性にしか対応ができないことから、近年では９寸８分（約３７ｃｍ）が標準とされており、例外的に１尺（約３７．９ｃｍ）〜１尺１寸（約４１．７ｃｍ）程度の広幅まで織られるようになっている。これにより、例えば、図１（Ｂ）に示した縫い目Ｎ１のように、布材と布材とのつなぎ目が見かけ上において存在する。
【０１１９】
これに対し、上記実施の形態１では、その縫い目を使用者の側面側に配置して、上述した外国人を含む大柄な人でも着ることができる和装服１としていたが、この場合には、着物の慣習としての縫い目が存在せず、見かけ上での着物との差が大きくなってしまう。
【０１２０】
そこで、この実施の形態２に係る和装服２では、図７に示すように、上述した縫い目Ｎ１と同様に、生地の縫合固定による縫合筋Ｎ２〜Ｎ４を追加した。なお、図８に示した生地上では、分離した図示とはせずに、そのまま生地を縫製した縫合筋Ｎ２〜Ｎ４として図示している。これにより、縫合筋Ｎ１〜Ｎ３は、通常の着物と同様の使用者の左右中央に位置する縫い筋となっており、縫合筋Ｎ４は、通常の着物と同様の衽（おくみ）としての縫い筋となっている。したがって、下身頃部３０は、縫合筋Ｎ３〜Ｎ４を追加して生地を細分化した以外の実質的な構成は実施の形態１と同一であるため、この縫合筋Ｎ３〜Ｎ４を追加した下身頃部３０を実施の形態１に採用してもよい。同様に、実施の形態１にいて、また、実施の形態１に示した表側上部前身頃部１５に縫合筋Ｎ２を追加することも可能である。なお、詳細は後述するが、左側縁部３５ｂと左側縁部３７ａとの上部付近は非縫合結合とされてスライド式ファスナ３９が設けられている。
【０１２１】
２点目として、上記実施の形態１では、帯部２０を構成する生地２８に使用者の上下に位置する各生地１３，１４，３５，３６，３７を縫合固定したことにより、その縫製Ｓ１，Ｓ２，Ｓ４，Ｓ５の糸目が見えてしまい、目立ち易かった。
【０１２２】
そこで、この実施の形態２では、上述した帯部２０を、固定側帯部７０と、固定側帯部７０の表面側に、使用者の胴回りを周回以上回り込む自由端側帯部８０と、で構成したものである。
【０１２３】
固定側帯部７０は、図９に示すように、使用者の正面側を被覆しうる長さ寸法に形成された前帯部７１と、使用者の背面側を被覆しうる長さ寸法に形成された後帯部７２と、で使用者の前後に跨るような長さに構成されている。前帯部７１と後帯部７２とは、図８に示すように、一般的な絹製の帯と同じ生地７３を用いている。
【０１２４】
後帯部７２のうち、展開状態で示す生地７３の左側の折れ線Ｐ７から延長された左側端部７３ａは、所定の長さ寸法（例えば、２〜４ｃｍ）だけ長く延長され、その表面側には雌雄一方の面ファスナ７４が設けられている。
【０１２５】
同様に、前帯部７１のうち、展開状態で示す生地７３の右側の折れ線Ｐ７から延長された右側部７３ｂは、所定の長さ寸法（例えば、２〜４ｃｍ）だけ長く延長され、その表面側には、面ファスナ７４と係合するように雌雄を異ならせた面ファスナ７５が設けられている。
【０１２６】
固定側帯部７０は、前帯部７１の上端部７１ａが表側上部前身頃部６５の下端部６５ａ及び裏側上部前身頃部６６の下端部６６ａと、及び、後帯部７２の上端部７２ａが上部後身頃部６２の下端部６２ａと、それぞれ縫製Ｓ１，Ｓ２によって縫合固定されている。
【０１２７】
固定側帯部７０は、前帯部７１の下端部７１ｂが裏側下部前身頃部３３の上端部３３ａ及び表側下部前身頃部３４の上端部３４ａと、後帯部７２の延長部分を除く下端部７２ｂが下部後身頃部３２の上端部３２ａと、端折り部５１及び端折り部５２と、それぞれ縫製Ｓ４，Ｓ５によって縫合固定されている。
【０１２８】
この際、図８に示すように、生地７３の折れ線Ｐ７から延長された左側端部７３ａ及び右側端部７３ｂが非縫合結合部分として使用者の左手側において折れ線Ｐ７で身体側に折り返されることにより、図９に示すように、後帯部７２及び前帯部７１の持出部７２ｃ及び持出部７１ｃとなる。これにより、面ファスナ７４と面ファスナ７５とが互いに係合するようになっている。
【０１２９】
このように、固定側帯部７０の前帯部７１及び後帯部７２とは、実施の形態１の前帯部２１及び後帯部２２に設けた一連のスライドファスナを用いたファスナ部Ｆ２とは異なり、折れ線Ｐ７から延長された持出部７１ｃ，７２ｃに設けた面ファスナ７４，７５を用いたファスナ部Ｆ３による係合状態とすることができる。
【０１３０】
自由端側帯部８０は、使用者の正面側を被覆しうる長さ寸法と使用者の背面側を被覆しうる長さ寸法とを加えた長さ寸法よりも長く、使用者の背中側から胴回り方向を周回する以上の長さ寸法を有する被覆帯部８１と、使用者の背面側に位置して所定の帯結びとされた（図示例は全巾帯でオリジナルのお太鼓結び）帯結び部８２と、を備える。
【０１３１】
帯結び部８２は、被覆帯部８１の上縁に沿って縫製Ｓ３により縫合固定されている。また、帯結び部８２には、帯締め２６の中央が固定されており、前面結部２７で予め結ばれている。
【０１３２】
被覆帯部８１は、図８に示すように、生地７３と同じ生地８３を用いている。この被覆帯部８１に対応する生地８３は、生地７３の折れ線Ｐ７と一致する始端部８３ａから右側に向かう所定の位置、すなわち、生地７３の長さ方向中央付近の下側に雌雄一方の面ファスナ８４が設けられている。また、生地８３の終端部８３ｂは、下向きに先細りとなるように傾斜され、被覆帯部８１と帯結び部８２との間に入り込ませることができるようになっている。生地８３の終端部８３ｂには、面ファスナ８４と係合可能な雌雄の異なる面ファスナ８５が設けられている。
【０１３３】
被覆帯部８１は、例えば、帯地の２枚重ねから生地８３を構成している。被覆帯部８１は、使用者の背面側の左右両端付近の上下が後帯部７２と縫製Ｓ６，Ｓ７によって固定されている。この際、縫製Ｓ６，Ｓ７は、２枚重ねの内側で折り返し、見掛け上で縫製糸が見えないようになっている。
【０１３４】
このように、帯部２０は、固定側帯部７０と自由端側帯部８０とで構成するとともに、前帯部７１に対する表側上部前身頃部６５及び裏側上部前身頃部６６、並びに、後帯部７２に対する上部後身頃部６２、を縫合固定するための縫製Ｓ１，Ｓ２、前帯部７１に対する裏側下部前身頃部３３及び表側下部前身頃部３４、並びに、後帯部７２に対する下部後身頃部３２、を縫合固定するための縫製Ｓ４，Ｓ５、を自由端側帯部８０で覆い隠すことができる。
【０１３５】
また、半幅帯で太鼓結びをする場合には、例えば、小春太鼓や風船太鼓のように帯幅を広げる必要があるが、予め結んだ帯を縫製Ｓ３で縫い付けているため、結び部８１を袋帯と同じ帯幅として、垂れ８２ａや羽根８２ｂを備えるなど、バラエティに富んだ袋帯や半幅帯を用いたオリジナルの結びとすることができる。また、固定側帯部７０と自由端側帯部８０との二重帯構造を採用したことで、固定側帯部７０と自由端側帯部８０との正面側の間に、結び部８１を持ち上げるための市販の帯揚げ（図示せず）を収納することも可能となり、より一層、正式な着物らしい着付けを実現することができる。
【０１３６】
３点目として、実施の形態１では、高さＨ３の範囲における非縫合構造部分の全長をスライド式ファスナを採用したファスナ部Ｆ１で開閉可能としたが、この実施の形態２では、身体の上部から順に、一部（図７に示す高さＨ５）を非縫合部分、一部（図７に示す高さＨ６）に面ファスナ７４，７５からなるファスナ部Ｆ３を採用した開閉可能部分、一部（図７に示す高さＨ７）にスライド式ファスナ３９からなるファスナ部Ｆ４を採用した開閉可能部分としたものである。
【０１３７】
図７に示すように、実施の形態２における上身頃部６０は、上部前身頃部６１と上部後身頃部６２とを有する。
【０１３８】
上身頃部６０は、図８に示すように、使用者の左右で一部を除き回転対称である生地６３，６４を用いている。この生地６３，６４のうち、折れ線Ｐ１を境界として図示上側の上部後身頃部６２に対応する部位６３ａ，６４ａの人体中心側縁部６３ｂ，６４ｂを縫合固定することによって構成される。したがって、上身頃部６０は、生地６３，６４を折れ線Ｐ１で折り返すことにより使用者の正面側と背面側とに分かれ、上部前身頃部６１と上部後身頃部６２となる。
【０１３９】
なお、図７（Ｂ）における符号Ｎ１はその縫合筋である。これにより、生地６３，６４のうち、折れ線Ｐ１を境界として図示下側の上部前身頃部６１に対応する部位６３ｃ，６４ｃは、使用者の右手側に配置される表側上部前身頃部６５と、表側上部前身頃部６５の裏側で一部が重ね合わされた状態で使用者の左手側に配置される裏側上部前身頃部６６となる。
【０１４０】
さらに、生地６３，６４の上部後身頃部６２に対応する部位６３ａ，６４ａの上縁部６３ｄ，６４ｄから生地６３，６４の上部前身頃部６１に対応する部位６３ｃ，６４ｃの傾斜縁部６３ｅ，６４ｅにかけて連続する縁部分には、図７に示すように、衿部６７が設けられている。
【０１４１】
衿部６７は、図８に示すように、略長方形（両端部の形状は任意）の帯状の生地６８を長手方向に沿う折れ線Ｐ２で半折りしたものを上縁部６３ｄ，６４ｄから傾斜縁部６３ｅ，６４ｅに沿って縫合固定したものである。したがって、折れ線Ｐ１は、衿部６７の衿幅と奥襟を考慮した分だけ上縁部６３ｄ，６４ｄから部位６３ｃ，６４ｃに寄った位置となる。なお、折れ線Ｐ３は上縁部６３ｄ，６４ｄから傾斜縁部６３ｅ，６４ｅに至る屈曲部分である。さらに、衿部６７の内側には、図７に示すように、生地６８とは異なる色や種類の飾り衿部６７Ａが設けられている。
【０１４２】
ところで、図８に示すように、表側上部前身頃部６５を構成する生地６３の下縁部及び裏側上部前身頃部６６を構成する生地６４の下縁部は、使用者の左右脇腹に向かう程に緩やかに丈が短くなっており、前帯部７１の上端部７１ａを裏面側で重ね合わされて縫合結合するための重ね部分６３ｇ，６４ｇが設けられている。
【０１４３】
そして、この重ね部分６３ｇ，６４ｇのうちの斜線で示す範囲を手繰り寄せるようにして縫製Ｓ２で縫合結合することにより、タック部６９が形成される。なお、重ね部分６３ｇ，６４ｇは、和装服２のサイズに応じた数だけ設けられる（図では２タック分）。
【０１４４】
また、重ね部分６３ｇ，６４ｇのうちの斜線で示す範囲を手繰り寄せた状態で前帯部７１の上端部７１ａと縫合結合することにより、生地６３の下縁部及び生地６４の下縁部が使用者の左右脇腹に向かう程に緩やかに丈が短くなっていることと相俟って、表側上部前身頃部６５及び裏側上部前身頃部６６に対して前帯部７１が斜めになることなく、見掛け上の水平状態での縫合結合を可能とすることができる。
【０１４５】
なお、図８の展開状態は、図７（Ａ）に示す使用者の正面側を基準として示し、使用者の左手側及び右手側と左右方向（図８の紙面では逆方向）とが一致している。また、図８に示した各生地６３，６４，６８は、図７（Ａ）に示した状態を単純に展開して示しており、具体的な形状や大きさ（比率を含む）を限定的に示すものではなく、例えば、必要に応じて縫い代等が設けられる。
【０１４６】
図７に示すように、衿部６７を含む上部前身頃部６１及び上部後身頃部６２は、一部が前後で重ね合わされた状態のまま帯部２０の裏面側において、縫合固定されている。
【０１４７】
なお、上身頃部６０は、例えば、表側上部前身頃部６５及び裏側上部前身頃部６６の適宜位置に一つ以上のタック部６９が設けられている。タック部６９は、帯部２０の上方において正面側の左右に対で設けられており、その下端は帯部２０の上縁部分で収束している。
【０１４８】
このように、上身頃部６０の帯部２０よりも上方には、上下方向に沿ってタック部６９が設けられていることから、洋服の場合と同様に、使用者のウエスト部分からバスト部分へと向かう周り方向の拡径に伴う立体的なシルエットを形成することができ、ゆとりのある着心地を提供できると共に、使用者の身体が各種の立ち居振る舞い、日常の運動作業を行う場合にも、生地が張ってしまい身体の動きが規制されることがなく、余裕をもって動作をすることができる和装服２を提供することができる。
【０１４９】
ここで、この実施の形態２における生地６４には、展開状態における折れ線Ｐ１を境として上部後身頃部６２に対応する部位６３ａの上部並びに上部前身頃部６１に対応する部位６３ｃの下部のそれぞれに、人体外側縁部６４ｆよりも外側に突出された突片部６４ｈが設けられている。
【０１５０】
この突片部６４ｈは、折れ線Ｐ８で内側に折り返されることにより、図１０に示すように、高さＨ５に対応する部分のスリット部Ｗ２によって外側から内側が見えないようにする持出部６２ｂを構成する。
【０１５１】
これにより、図１０に示すように、高さＨ３の範囲における非縫合構造部分（スリット部）のうち、図１０（Ａ）に示すように、高さＨ５に対応する生地６４の非縫合構造部分としてのスリット部Ｗ２は、図１０（Ｂ）に示すように、持出部６２ｂが合わさることにより、見掛け上で閉じた状態とすることができる。また、高さＨ６に対応する生地７３の非縫合構造部分としてのスリット部Ｗ３は、図１０（Ｂ）に示すように、持出部６２ｂに設けた雌雄の異なる面ファスナ７４，７５で構成されるファスナ部Ｆ３で開閉可能となっている。さらに、高さＨ７に対応する生地３６の左側縁部３５ｂと生地３７の左側縁部３７ａとの非縫合構造部分としてのスリット部Ｗ４は、下部前身頃部３１及び下部後身頃部３２に設けたスライド式ファスナ３９から構成されるファスナ部Ｆ４で開閉可能となっている。
【０１５２】
したがって、高さＨ５における持出部６２ｂは、対応する生地６４の突片部６４ｈの突出量が面ファスナ７４，７５の長さと略同長さだけ突出しているのが望ましい。なお、この「長さ」とは、上述した帯における「幅幅」の方向と直交する方向を意味する。したがって、高さＨ６は、帯幅方向に一致している。
【０１５３】
したがって、使用者の胴回り寸法に応じて、面ファスナ７４，７５の長さに対する係合位置を調整することにより、ある程度の締め付け力の調整が可能となっている。
【０１５４】
このように、固定側帯部７０の表面と重なるように、スリット部Ｗ３の近傍に始端部８３ａが縫製Ｓ６，Ｓ７によって縫合固定され、使用者の背中側から胴回り方向を周回してスリット部Ｗ３を覆ったうえで面ファスナ８５を裏面側に設けた被覆帯部８１を設けたことにより、着物としての見掛けを確保することができる。
【０１５５】
また、使用者の左側の脇部は、人体外側縁部６４ｆの下部付近（高さＨ５）は非縫合結合とされ、左側端部７３ａと右側端部７３ｂとは全幅に跨って（高さＨ６）非縫合結合とされて面ファスナ７４，７５によりファスナ部Ｆ３が設けられ、左側縁部３５ｂと左側縁部３７ａとの上部付近（高さＨ７）は非縫合結合とされてスライド式ファスナ３９によりファスナ部Ｆ４が設けられ、実施の形態１におけるファスナ部Ｆ１と同様の機能（着易さ・脱ぎ易さ）が担保されている。
【０１５６】
（実施の形態２の変形例）
なお、上記実施の形態２では、帯部２０を、固定側帯部９０と、固定側帯部９０の表面側に、使用者の胴回りを周回以上回り込む自由端側帯部１００と、で構成するとともに、それらの帯幅（使用者の高さ方向）を同一としたものであるが、同一でなくてもよい。
【０１５７】
例えば、実施の形態２の変形例として、図１１及び図１２に示すように、帯部２０を、固定側帯部９０と、固定側帯部９０の表面側に、使用者の胴回りを周回以上回り込む自由端側帯部９０と、で構成するとともに、自由端側帯部９０の帯幅を固定側帯部９０の帯幅よりも広くしてもよい。なお、この帯幅の広狭は、どちらを基準としてもよく、結果的に自由端側帯部９０の帯幅の方が固定側帯部９０の帯幅よりも広いことを意味する。
【０１５８】
この際、固定側帯部９０は、上記実施の形態２と同様に、使用者の正面側を被覆しうる長さ寸法に形成された前帯部９１と、使用者の背面側を被覆しうる長さ寸法に形成された後帯部９２と、で使用者の前後に跨るような長さに構成されている。前帯部９１と後帯部９２とは、図１１に示すように、一般的な絹製の帯と同じ生地９３を用いている。
【０１５９】
後帯部９２のうち、展開状態で示す生地９３の左側の折れ線Ｐ９から延長された左側端部９３ａは、所定の長さ寸法（例えば、２〜４ｃｍ）だけ長く延長され、その表面側には雌雄一方の面ファスナ９４が設けられている。後帯部９２のうち、展開状態で示す生地９３の左側の折れ線Ｐ９よりも内方の表面側には、帯幅方向の略全幅に跨るように雌雄一方の面ファスナ９６が設けられている。さらに、後帯部９２のうち、展開状態で示す生地９３の右端付近、すなわち、生地９３の全長に対する中央の折れ線Ｐ４を境界として後帯部９２と前帯部９１とに割り当てられる場合に、その境界よりも後帯部９２として用いられる使用者の右手側の端部付近には、帯幅方向の両端（使用者の身丈方向である上下方向の両端）には、雌雄一方の一対の面ファスナ９７が設けられている。
【０１６０】
同様に、前帯部９１のうち、展開状態で示す生地９３の右側の折れ線Ｐ９から延長された右側部９３ｂは、所定の長さ寸法（例えば、２〜４ｃｍ）だけ長く延長され、その表面側には、面ファスナ９４と係合するように雌雄を異ならせた面ファスナ９５が設けられている。
【０１６１】
固定側帯部９０は、前帯部９１の上端部９１ａが表側上部前身頃部６５の下端部６５ａ及び裏側上部前身頃部６６の下端部６６ａと、及び、後帯部９２の上端部９２ａが上部後身頃部６２の下端部６２ａと、それぞれ縫製Ｓ１，Ｓ２によって縫合固定されている。
【０１６２】
固定側帯部９０は、前帯部９１の下端部９１ｂが裏側下部前身頃部３３の上端部３３ａ及び表側下部前身頃部３４の上端部３４ａと、後帯部９２の延長部分を除く下端部９２ｂが下部後身頃部３２の上端部３２ａと、端折り部５１及び端折り部５２と、それぞれ縫製Ｓ４，Ｓ５によって縫合固定されている。
【０１６３】
この際、生地９３の折れ線Ｐ９から延長された左側端部９３ａ及び右側端部９３ｂが非縫合結合部分として使用者の左手側において折れ線Ｐ９で身体側に折り返されることにより、後帯部９２及び前帯部９１の持出部９２ｃ及び持出部９１ｃとなる。これにより、面ファスナ９４と面ファスナ９５とが、スリット部Ｗ３を開閉するファスナ部（Ｆ３）として互いに係合するようになっている。
【０１６４】
自由端側帯部１００は、使用者の正面側を被覆しうる長さ寸法と使用者の背面側を被覆しうる長さ寸法とを加えた長さ寸法よりも長く、使用者の背中側から胴回り方向を周回する以上の長さ寸法を有する被覆帯部１０１と、使用者の背面側に位置して所定の帯結びとされた（図示例は全巾帯でオリジナルのお太鼓結び）帯結び部（図示せず）と、を備える。
【０１６５】
被覆帯部１０１は、固定側帯部９０の生地９３と同じ生地１０３を用いている。この被覆帯部１０１に対応する生地１０３は、生地９３の折れ線Ｐ９と一致する始端部１０３ａから右側に向かう所定の位置、すなわち、生地９３の幅方向中央付近の下側に雌雄一方の面ファスナ１０４が設けられている。また、生地１０３の終端部１０３ｂは、下向きに先細りとなるように傾斜され、被覆帯部１０１と帯結び部との間に入り込ませることができるようになっている。生地１０３の終端部１０３ｂには、面ファスナ１０４と係合可能な雌雄の異なる面ファスナ１０５が設けられている。
【０１６６】
被覆帯部１０１は、使用者の背面側において左右両端に位置する部位のうち、左端付近には帯幅方向の略全幅に跨るように面ファスナ９６と雌雄を異ならせた面ファスナ１０６が設けられ、右端付近には帯幅方向の両端（使用者の身丈方向である上下方向の両端）に位置するように、面ファスナ９７と雌雄を異ならせた一対の面ファスナ１０７が設けられている。なお、面ファスナ１０７は、その帯幅方向の高さが面ファスナ９７の帯幅方向の高さよりも高くなっている。
【０１６７】
上記実施の形態２においては、被覆帯部８１は、スリット部Ｗ３の近傍を含む使用者の背面側の左右両端の上下が後帯部９２と縫製Ｓ６，Ｓ７によって縫合固定（縫合支持）されていた。これに対し、この変形例では、使用者の背面側の左右両端のうちの左端であるスリット部Ｗ３の近傍は、固定側帯部９０の表面に設けた支持側係合部としての面ファスナ９６に被支持側係合部としての面ファスナ１０６が係合して係合支持される。同様に、使用者の背面側の左右両端のうちの右端付近は、上下一対の面ファスナ１０７に面ファスナ１０７が係合することにより係合支持される。
【０１６８】
ここで、図１１に示すように、自由端側帯部１００としての生地１０３の帯幅である高さＨ８は固定側帯部９０としての生地９３の帯幅である高さＨ９よりも高い（広い）くなっている。
【０１６９】
これにより、例えば、総じて東洋人或いは世代の古い日本人の体形に多い腰骨よりも上方の座高が高い（足が短い）使用者と、総じて西洋人或いは世代の若い日本人の体形に多い腰骨よりも上方の座高が低い（足が長い）使用者と、によって固定側帯部９０の腰骨を基準とした使用者の座高の高低に応じて固定側帯部９０による締め付け位置を調整することができる。
【０１７０】
図１２は、その固定側帯部９０による締め付け位置を調整した一例を示す。例えば、総じて東洋人或いは世代の古い日本人の体形に多い腰骨よりも上方の座高が高い（足が短い）使用者の場合には、図１２（Ａ）に示すように、自由端側帯部１００の下縁部と固定側帯部９０の下縁部とが一致する最大下方許容位置までの範囲において、固定側帯部９０を下げることができる。また、総じて西洋人或いは世代の若い日本人の体形に多い腰骨よりも上方の座高が低い（足が長い）使用者の場合には、図１２（Ｂ）に示すように、自由端側帯部１００の上縁部と固定側帯部９０の上縁部とが一致する最大上方許容位置までの範囲において、固定側帯部９０を上げることができる。
【０１７１】
なお、自由端側帯部８０、１００は、１枚でなくて複数枚で構成して重厚感を確保することも可能である。また、全体として帯生地は、実際の着物用の帯生地を使用せず、他の装飾等を施した生地を使用することも可能である。
【符号の説明】
【０１７２】
１    和装服
２    和装服
１０    上身頃部
１１    上部前身頃部
１２    上部後身頃部
１２ａ    下端部
１２ｂ    持出部
１３    生地
１３ａ    部位
１３ｂ    人体中心側縁部
１３ｃ    部位
１３ｄ    上縁部
１３ｅ    傾斜縁部
１３ｆ    人体外側縁部
１３ｇ    重ね部分
１４    生地
１４ａ    部位
１４ｂ    人体中心側縁部
１４ｃ    部位
１４ｄ    上縁部
１４ｅ    傾斜縁部
１４ｆ    人体外側縁部
１４ｇ    重ね部分
１４ｈ    突片部
１５    表側上部前身頃部
１５ａ    下端部
１５ｂ    持出部
１６    裏側上部前身頃部
１６ａ    下端部
１７    衿部
１７Ａ  飾り衿部
１８    生地
１９    タック部
２０    帯部（固定側帯部）
２１    前帯部
２１ａ    上端部
２１ｂ    下端部
２２    後帯部
２２ａ    上端部
２２ｂ    下端部
２３    前側裏地部
２４    後側裏地部
２５    帯結び部
２６    帯締め
２７    前面結部
２８    生地
２８ａ    縁部
２８ｂ    縁部
３０    身頃部
３１    下部前身頃部
３２    下部後身頃部
３２ａ    上端部
３３    裏側下部前身頃部
３４    表側下部前身頃部
３５    生地
３５ａ    右側縁部
３５ｂ    左側縁部
３６    生地
３６ａ    右側縁部
３６ｂ    つま先部
３７    生地
３７ａ    左側縁部
３７ｂ    つま先部
３８    スライドファスナ
３９    スライドファスナ
４０    袖部
４１    右袖部
４２    左袖部
４３    生地
４３ａ    前面袖部
４３ｂ    背面袖部
４３ｃ    人体内側縁部
４４    生地
４４ａ    前面袖部
４４ｂ    背面袖部
４４ｃ    人体内側縁部
４５    右袂部
４６    左袂部
４７    収納部
４７ａ    開口部
４８    袋状生地
４８ａ    開口部
４９    スライドファスナ
５０    端折り部
５１    端折り部
５２    端折り部
５３    生地
６０    上身頃部
６１    上部前身頃部
６２    上部後身頃部
６２ａ    下端部
６２ｂ    持出部
６３    生地
６３ａ    部位
６３ｂ    人体中心側縁部
６３ｃ    部位
６３ｄ    上縁部
６３ｅ    傾斜縁部
６３ｆ    人体外側縁部
６３ｇ    重ね部分
６４    生地
６４ａ    部位
６４ｂ    人体中心側縁部
６４ｃ    部位
６４ｄ    上縁部
６４ｅ    傾斜縁部
６４ｆ    人体外側縁部
６４ｇ    重ね部分
６４ｈ    突片部
６５    表側上部前身頃部
６５ａ    下端部
６６    裏側上部前身頃部
６６ａ    下端部
６７    衿部
６７Ａ  飾り衿部
６８    生地
６９    タック部
７０    固定側帯部
７１    前帯部
７１ａ    上端部
７１ｂ    下端部
７１ｃ    持出部
７２    後帯部
７２ａ    上端部
７２ｂ    下端部
７２ｃ    持出部
７３    生地
７３ａ    左側端部
７３ｂ    右側端部
７４    面ファスナ
７５    面ファスナ
８０    自由端側帯部
８１    被覆帯部
８２    帯結び部
８２ａ  垂れ
８２ｂ  羽根
８３  生地
８３ａ  始端部
８３ｂ  終端部
８４    面ファスナ
８５    面ファスナ
９０    固定側帯部
９１    前帯部
９１ａ    上端部
９１ｂ    下端部
９１ｃ    持出部
９２    後帯部
９２ａ    上端部
９２ｂ    下端部
９２ｃ    持出部
９３    生地
９３ａ    左側端部
９３ｂ    右側端部
９４    面ファスナ
９５    面ファスナ
９６    面ファスナ（支持側係合部）
９７    面ファスナ
１００    自由端側帯部
１０１    被覆帯部
１０３  生地
１０３ａ  始端部
１０３ｂ  終端部
１０４    面ファスナ
１０５    面ファスナ
１０６    面ファスナ（被支持側係合部）
１０７    面ファスナ
Ｈ１    高さ
Ｈ２    高さ
Ｈ３    高さ
Ｈ４    高さ
Ｈ５    高さ
Ｈ６    高さ
Ｈ７    高さ
Ｈ８    高さ（帯幅）
Ｈ９    高さ（帯幅）
Ｆ１    ファスナ部
Ｆ２    ファスナ部
Ｆ３    ファスナ部
Ｆ４    ファスナ部
Ｐ１    折れ線
Ｐ２    折れ線
Ｐ３    折れ線
Ｐ４    折れ線
Ｐ５    折れ線
Ｐ６    折れ線
Ｐ７    折れ線
Ｐ８    折れ線
Ｐ９    折れ線
Ｓ１    縫製
Ｓ２    縫製
Ｓ３    縫製
Ｓ４    縫製
Ｓ５    縫製
Ｓ６    縫製
Ｓ７    縫製
Ｗ１    スリット部
Ｗ２    スリット部
Ｗ３    スリット部
Ｗ４    スリット部
【手続補正２】
【補正対象書類名】特許請求の範囲
【補正対象項目名】全文
【補正方法】変更
【補正の内容】
【特許請求の範囲】
【請求項１】
上身頃部と、前記上身頃部の下端部に設けられた帯部と、前記帯部の下端部に設けられた下身頃部と、前記上身頃部に設けられた一対の袖部と、を備え、
前記上身頃部は上部前身頃部と上部後身頃部とを有すると共に、前記下身頃部は下部前身頃部と下部後身頃部とを有し、
前記上部前身頃部、前記上部後身頃部、前記下部前身頃部及び前記下部後身頃部は前記帯部の裏面側において、互いに前記帯部に対して縫合固定されており、前記下身頃部の下端部から使用者が被ることを特徴とする和装服。
【請求項２】
前記上部前身頃部は、表側上部前身頃部と、前記表側上部前身頃部の裏側で一部が重ね合わされて配置される裏側上部前身頃部と、を有すると共に、
前記下部前身頃部は、表側下部前身頃部と、前記表側下部前身頃部の裏側で一部が重ね合わされて配置される裏側下部前身頃部と、を備え、
前記表側上部前身頃部及び前記裏側上部前身頃部、並びに、前記表側下部前身頃部及び前記裏側下部前身頃部は、重ね合わされた状態のまま前記帯部の裏面側において縫合固定されていることを特徴とする請求項１記載の和装服。
【請求項３】
前記帯部は、帯状の生地が前記上身頃部の下端部周縁全域に亘って縫合固定されて形成されていることを特徴とする請求項２記載の和装服。
【請求項４】
前記下身頃部は、使用者の胴下半部及び両脚部を正面側から被覆しうる身幅寸法に形成された前記裏側下部前身頃部及び前記裏側下部前身頃部の表面側に重ね合わされて配置される前記表側下部前身頃部、並びに、使用者の胴下半部及び両脚部を背面側から被覆しうる身幅寸法に形成された前記下部後身頃部、により構成され、前記下部後身頃部の両側縁部において前記裏側下部前身頃部の一方の側縁部と前記表側下部前身頃部の一方の側縁部とが上下方向に沿って縫合固定されていることを特徴とする請求項２記載の和装服。
【請求項５】
前記上身頃部の下端部及び前記下身頃部の上端部、の一方側の脇部には、上下方向に沿って前記帯部を跨るように配設されたスリット部が設けられていることを特徴とする請求項１又は請求項２のいずれか１項に記載の和装服。
【請求項６】
前記スリット部にはファスナ部が設けられ開閉可能に形成されていることを特徴とする請求項５記載の和装服。
【請求項７】
前記ファスナ部は、前記スリット部の全長に跨るスライド式ファスナ部を備えることを特徴とする請求項６記載の和装服。
【請求項８】
前記袖部は、袂部が設けられているとともに、前記上身頃部の左右方向両端部において、前記上部前身頃部及び前記上部後身頃部に夫々縫合固定されており、
前記袂部の脇対向部位には上下方向に沿ってファスナ部により開閉可能に形成された開口部を有する収納部が設けられていることを特徴とする請求項１記載の和装服。
【請求項９】
前記上身頃部の前記帯部よりも上方には、上下方向に沿ってタック部が設けられていることを特徴とする請求項２記載の和装服。
【請求項１０】
前記帯部の下端部には、前記下身頃部の上端部の表面側に配置される御端折り部が設けられていることを特徴とする請求項２記載の和装服。
【請求項１１】
前記ファスナ部は、前記スリット部のうち前記下身頃部の上端部に対応した部位を開閉するスライドファスナ部であることを特徴とする請求項６記載の和装服。
【請求項１２】
上身頃部と、前記上身頃部の下端部に設けられた帯部と、前記帯部の下端部に設けられた下身頃部と、前記上身頃部に設けられた一対の袖部と、を備え、
前記上身頃部は上部前身頃部と上部後身頃部とを有すると共に、前記下身頃部は下部前身頃部と下部後身頃部とを有し、
前記上部前身頃部、前記上部後身頃部、前記下部前身頃部及び前記下部後身頃部は前記帯部の裏面側において、互いに前記帯部に対して縫合固定されており、前記下身頃部の下端部から使用者が被るように構成され、
前記上部前身頃部は、表側上部前身頃部と、前記表側上部前身頃部の裏側で一部が重ね合わされて配置される裏側上部前身頃部と、を有すると共に、
前記下部前身頃部は、表側下部前身頃部と、前記表側下部前身頃部の裏側で一部が重ね合わされて配置される裏側下部前身頃部と、を備え、
前記表側上部前身頃部及び前記裏側上部前身頃部、並びに、前記表側下部前身頃部及び前記裏側下部前身頃部は、重ね合わされた状態のまま前記帯部の裏面側において縫合固定されており、
前記上身頃部の下端部及び前記下身頃部の上端部、の一方側の脇部には、上下方向に沿って前記帯部を跨るように配設されたスリット部が設けられ、
前記帯部は、
前記表側上部前身頃部及び前記裏側上部前身頃部、並びに、前記表側下部前身頃部及び前記裏側下部前身頃部が、裏面側において重ね合わされた状態のまま縫合固定されている固定側帯部と、
前記固定側帯部の表面と重なるように、前記スリット部の近傍で一端が前記固定側帯部に支持された背面帯部、及び、使用者の背面側から胴回り方向を周回して前記スリット部を覆ったうえで前記背面帯部の前記一端の表面と係合する係合部を他端の裏面側に備えた正面帯部、を一体に備える自由端側帯部と、
を備え、
前記スリット部にはファスナ部が設けられ開閉可能に形成され、
前記ファスナ部は、前記スリット部のうち前記帯部に対応した部位を開閉する雌雄の異なる一対の面ファスナ部と、前記スリット部のうち前記下身頃部の上端部に対応した部位を開閉するスライドファスナ部と、を備えていることを特徴とする和装服。
【請求項１３】
前記帯部には、使用者の背面側において帯結び部が縫合固定されていることを特徴とする請求項３又は請求項１２のいずれか１項に記載の和装服。
【請求項１４】
使用者の身長及び胸囲の数値に基づき複数のサイズを有することを特徴とする請求項１記載の和装服。
【請求項１５】
前記背面帯部の前記一端は、前記スリット部の近傍で前記固定側帯部に縫合支持、若しくは、前記スリット部の近傍の前記固定側帯部の表面に設けた支持側係合部に被支持側係合部が係合支持、されることを特徴とする請求項１２に記載の和装服。
【請求項１６】
前記帯部は、前記自由端側帯部の帯幅が前記固定側帯部の帯幅よりも広いことを特徴とする請求項１２記載の和装服。